(57)【要約】無線通信ノードが相互を発見するための方法、装置、およびシステムが、開示される。一実施形態では、第１の無線通信ノードによって実施される方法が、開示される。本方法は、少なくとも１つの他の第２の無線通信ノードによって発見されるために発見信号を伝送するように第２の無線通信ノードによって利用される、個別の構成情報を複数の第２の無線通信ノードのそれぞれに伝送するステップを含む。複数の第２の無線通信ノードのうちの少なくとも２つは、それらの個別の構成情報に基づいて、異なる時間ドメイン位置においてそれらの発見信号を伝送する。
2021534647.tif 000002
【特許請求の範囲】
【請求項１】
第１の無線通信ノードによって実施される方法であって、前記方法は、
少なくとも１つの他の第２の無線通信ノードによって発見されるために発見信号を伝送するように第２の無線通信ノードによって利用される個別の構成情報を複数の第２の無線通信ノードのそれぞれに伝送することであって、前記複数の第２の無線通信ノードのうちの少なくとも２つは、それらの個別の構成情報に基づいて、異なる時間ドメイン位置においてそれらの発見信号を伝送する、こと
を含む、方法。
【請求項２】
第２の無線通信ノード毎の個別の構成情報は、以下のうちの少なくとも１つについての情報、すなわち、
前記第２の無線通信ノードによる前記発見信号の伝送のための第１の副搬送波間隔と、
前記発見信号の伝送のための時間ドメイン構成と、
前記発見信号の伝送のための周波数位置と、
前記第２の無線通信ノードが少なくとも１つの他の第２の無線通信ノードによって伝送される少なくとも１つの他の発見信号を監視するための監視構成と
を備える、請求項１に記載の方法。
【請求項３】
前記時間ドメイン構成は、
前記発見信号の伝送のための伝送窓周期と、
前記発見信号を伝送するための時間窓を指す伝送窓のオフセットであって、前記オフセットは、前記発見信号を伝送する前記伝送窓周期内の伝送窓を示す、伝送窓のオフセットと、
前記発見信号の伝送のための前記伝送窓内の少なくとも１つの時間ドメイン位置であって、前記発見信号の伝送のための前記伝送窓内の候補時間ドメイン位置は、前記発見信号と同一の副搬送波間隔を伴う同期化信号ブロック（ＳＳＢ）の伝送のための前記伝送窓内の候補時間ドメイン位置と同一であり、前記少なくとも１つの時間ドメイン位置は、そのサイズが前記候補時間ドメイン位置の数量に等しく、前記発見信号が位置する周波数帯範囲によって決定されるビットマップによって示される、少なくとも１つの時間ドメイン位置と、
前記第２の無線通信ノードの少なくとも１つのホップ順と、
前記第２の無線通信ノードの少なくとも１つの識別子と、
前記第２の無線通信ノードに関する少なくとも１つのセル識別子と
のうちの少なくとも１つに関連する情報を備える、請求項２に記載の方法。
【請求項４】
前記発見信号の伝送のための前記周波数位置は、前記発見信号の中心周波数位置を指し、
前記発見信号の伝送のための前記周波数位置は、新規無線絶対無線周波数チャネル番号（ＮＲ−ＡＲＦＣＮ）によって示され、
前記発見信号の伝送のための前記周波数位置のデフォルト値は、前記第２の無線通信ノードの初期アクセスプロセスのための同期化信号ブロック（ＳＳＢ）の搬送波中心周波数または中心周波数である、
請求項２に記載の方法。
【請求項５】
前記監視構成は、前記少なくとも１つの他の発見信号を監視するための周波数位置、前記少なくとも１つの他の発見信号の第２の副搬送波間隔、および少なくとも１つの監視窓構成のうちの少なくとも１つについての情報を備え、
前記少なくとも１つの他の発見信号を監視するための前記周波数位置は、前記少なくとも１つの他の発見信号の中心周波数位置を指し、
前記少なくとも１つの他の発見信号を監視するための前記周波数位置のデフォルト値は、前記発見信号の伝送のための搬送波中心周波数または中心周波数位置であり、
前記第２の副搬送波間隔のデフォルト値は、前記第２の無線通信ノードの初期アクセスプロセスのための同期化信号ブロック（ＳＳＢ）の副搬送波間隔であり、
前記少なくとも１つの監視窓構成はそれぞれ、少なくとも１つの監視されたセルまたは少なくとも１つの監視された無線通信ノードに対応する、
請求項２に記載の方法。
【請求項６】
前記少なくとも１つの監視窓構成は、
監視窓周期と、
監視窓のオフセットであって、前記監視窓のオフセットは、前記少なくとも１つの発見信号を監視する前記監視窓周期内の監視窓を示す、監視窓のオフセットと、
前記監視窓の持続時間と、
前記監視窓内で監視される前記少なくとも１つの発見信号の時間ドメイン位置であって、前記少なくとも１つの発見信号の時間ドメイン位置は、そのサイズが、前記少なくとも１つの発見信号が監視される周波数帯範囲によって決定されるビットマップによって示される、時間ドメイン位置と、
前記複数の第２の無線通信ノードによる前記発見信号の伝送のための全ての時間ドメイン構成と、
少なくとも１つの監視されたセルに関する少なくとも１つの識別子と、
少なくとも１つの監視された無線通信ノードに関する少なくとも１つのホップ順と、
前記少なくとも１つの監視された無線通信ノードに関する少なくとも１つの識別子と
のうちの少なくとも１つを備える、請求項５に記載の方法。
【請求項７】
前記複数の第２の無線通信ノードのうちの少なくとも１つに関して、前記発見信号の伝送のための前記周波数位置は、前記第２の無線通信ノードが動作する搬送波周波数の同期化ラスタ上にない、請求項１に記載の方法。
【請求項８】
前記複数の第２の無線通信ノードのうちの少なくとも１つに関して、個別の構成情報は、少なくとも１つの第２の無線通信ノードが発見信号を伝送するための少なくとも１つの時間ドメイン構成を備える、請求項１に記載の方法。
【請求項９】
第１の無線通信ノードによって実施される方法であって、前記方法は、
第２の無線通信ノードから構成情報を受信することと、
前記構成情報に基づいて、他の無線通信ノードによって発見されるために発見信号を伝送することであって、前記第１の無線通信ノードおよび前記他の無線通信ノードのうちの少なくとも１つは、それらの個別の構成情報に基づいて、異なる時間ドメイン位置においてそれらの発見信号を伝送する、ことと
を含む、方法。
【請求項１０】
前記構成情報は、以下のうちの少なくとも１つについての情報、すなわち、
前記発見信号の伝送のための第１の副搬送波間隔と、
前記発見信号の伝送のための時間ドメイン構成と、
前記発見信号の伝送のための周波数位置と、
少なくとも１つの他の無線通信ノードによって伝送される少なくとも１つの他の発見信号を監視するための監視構成と
を備える、請求項９に記載の方法。
【請求項１１】
前記時間ドメイン構成は、
前記発見信号の伝送のための伝送窓周期と、
前記発見信号を伝送するための時間窓を指す伝送窓のオフセットであって、前記オフセットは、前記発見信号を伝送する前記伝送窓周期内の伝送窓を示す、伝送窓のオフセットと、
前記発見信号の伝送のための前記伝送窓内の少なくとも１つの時間ドメイン位置であって、前記発見信号の伝送のための前記伝送窓内の候補時間ドメイン位置は、前記発見信号と同一の副搬送波間隔を伴う同期化信号ブロック（ＳＳＢ）の伝送のための前記伝送窓内の候補時間ドメイン位置と同一であり、前記少なくとも１つの時間ドメイン位置は、そのサイズが前記候補時間ドメイン位置の数量に等しく、前記発見信号が位置する周波数帯範囲によって決定されるビットマップによって示される、少なくとも１つの時間ドメイン位置と、
前記第１の無線通信ノードの少なくとも１つのホップ順と、
前記第１の無線通信ノードの少なくとも１つの識別子と、
前記第１の無線通信ノードに関する少なくとも１つのセル識別子と
のうちの少なくとも１つに関連する情報を備える、請求項１０に記載の方法。
【請求項１２】
前記発見信号の伝送のための前記周波数位置は、前記発見信号の中心周波数位置を指し、
前記発見信号の伝送のための前記周波数位置は、新規無線絶対無線周波数チャネル番号（ＮＲ−ＡＲＦＣＮ）によって示され、
前記発見信号の伝送のための前記周波数位置のデフォルト値は、前記第１の無線通信ノードの初期アクセスプロセスのための同期化信号ブロック（ＳＳＢ）の搬送波中心周波数または中心周波数である、
請求項１０に記載の方法。
【請求項１３】
前記監視構成に基づいて、少なくとも１つの他の無線通信ノードによって伝送される少なくとも１つの他の発見信号を監視することをさらに含み、
前記監視構成は、前記少なくとも１つの他の発見信号を監視するための周波数位置、前記少なくとも１つの他の発見信号の第２の副搬送波間隔、および少なくとも１つの監視窓構成のうちの少なくとも１つについての情報を備え、
前記少なくとも１つの他の発見信号を監視するための前記周波数位置は、前記少なくとも１つの他の発見信号の中心周波数位置を指し、
前記少なくとも１つの他の発見信号を監視するための前記周波数位置のデフォルト値は、前記発見信号の伝送のための搬送波中心周波数または中心周波数位置であり、
前記第２の副搬送波間隔のデフォルト値は、前記監視された少なくとも１つの他の無線通信ノードの初期アクセスプロセスのための同期化信号ブロック（ＳＳＢ）の副搬送波間隔であり、
前記少なくとも１つの監視窓構成はそれぞれ、少なくとも１つのセルまたは少なくとも１つの監視された無線通信ノードに対応する、
請求項１０に記載の方法。
【請求項１４】
前記少なくとも１つの監視窓構成は、
監視窓周期と、
監視窓のオフセットであって、前記監視窓のオフセットは、前記少なくとも１つの発見信号を監視する前記監視窓周期内の監視窓を示す、監視窓のオフセットと、
前記監視窓の持続時間と、
前記監視窓内で監視される前記少なくとも１つの発見信号の時間ドメイン位置であって、前記少なくとも１つの発見信号の時間ドメイン位置は、そのサイズが、前記少なくとも１つの発見信号が監視される周波数帯範囲によって決定されるビットマップによって示される、時間ドメイン位置と、
前記他の無線通信ノードによる発見信号の伝送のための時間ドメイン構成と、
少なくとも１つの監視されたセルに関する少なくとも１つの識別子と、
少なくとも１つの監視された無線通信ノードに関する少なくとも１つのホップ順と、
前記少なくとも１つの監視された無線通信ノードに関する少なくとも１つの識別子と
のうちの少なくとも１つを備える、請求項１３に記載の方法。
【請求項１５】
前記監視構成と前記第１の無線通信ノードのデータを伝送するための伝送構成との間の衝突に応答して、所定の優先順位ルールに基づいて、前記監視構成に従って前記少なくとも１つの他の発見信号を監視するかどうかを決定することをさらに含む、請求項１０に記載の方法。
【請求項１６】
前記複数の第２の無線通信ノードのうちの少なくとも１つに関して、前記発見信号の伝送のための前記周波数位置は、前記第１の無線通信ノードが動作する搬送波周波数の同期化ラスタ上にない、請求項１０に記載の方法。
【請求項１７】
前記構成情報は、前記第１の無線通信ノードの少なくとも１つの子ノードが発見信号を伝送するための少なくとも１つの時間ドメイン構成を備える、請求項９に記載の方法。
【請求項１８】
第１の無線通信ノードによって実施される方法であって、前記方法は、
構成情報を決定することと、
前記構成情報を第２の無線通信ノードに伝送することと、
前記構成情報に基づいて、他の無線通信ノードによって発見されるために発見信号を伝送することであって、前記第１の無線通信ノードおよび前記他の無線通信ノードのうちの少なくとも１つは、それらの個別の構成情報に基づいて、異なる時間ドメイン位置においてそれらの発見信号を伝送する、ことと
を含む、方法。
【請求項１９】
前記構成情報は、以下のうちの少なくとも１つについての情報、すなわち、
前記発見信号の伝送のための第１の副搬送波間隔と、
前記発見信号の伝送のための時間ドメイン構成と、
前記発見信号の伝送のための周波数位置と
を備える、請求項１８に記載の方法。
【請求項２０】
前記時間ドメイン構成は、
前記発見信号の伝送のための伝送窓周期と、
前記発見信号を伝送するための時間窓を指す伝送窓のオフセットであって、前記オフセットは、前記発見信号を伝送する前記伝送窓周期内の伝送窓を示す、伝送窓のオフセットと、
前記発見信号の伝送のための前記伝送窓内の少なくとも１つの時間ドメイン位置であって、前記発見信号の伝送のための前記伝送窓内の候補時間ドメイン位置は、前記発見信号と同一の副搬送波間隔を伴う同期化信号ブロック（ＳＳＢ）の伝送のための前記伝送窓内の候補時間ドメイン位置と同一であり、前記少なくとも１つの時間ドメイン位置は、そのサイズが前記候補時間ドメイン位置の数量に等しく、前記発見信号が位置する周波数帯範囲によって決定されるビットマップによって示される、少なくとも１つの時間ドメイン位置と、
前記第１の無線通信ノードの少なくとも１つのホップ順と、
前記第１の無線通信ノードの少なくとも１つの識別子と、
前記第１の無線通信ノードに関する少なくとも１つのセル識別子と
のうちの少なくとも１つに関連する情報を備える、請求項１９に記載の方法。
【請求項２１】
前記構成情報を決定することは、前記発見信号を伝送するための前記伝送窓周期内の１つの伝送窓を無作為に決定することによって、前記伝送窓のオフセットを決定することを含む、請求項２０に記載の方法。
【請求項２２】
前記第２の無線通信ノードから監視構成を受信することと、
前記監視構成に基づいて、少なくとも１つの他の無線通信ノードによって伝送される少なくとも１つの他の発見信号を監視することと
をさらに含む、請求項１８に記載の方法。
【請求項２３】
第１の無線通信ノードによって実施される方法であって、前記方法は、
複数の第２の無線通信ノードのそれぞれから、少なくとも１つの他の第２の無線通信ノードによって発見されるために発見信号を伝送するように第２の無線通信ノードによって利用される個別の構成情報を受信することであって、前記複数の第２の無線通信ノードのうちの少なくとも２つは、それらの個別の構成情報に基づいて、異なる時間ドメイン位置においてそれらの発見信号を伝送する、こと
を含む、方法。
【請求項２４】
第２の無線通信ノード毎の個別の構成情報は、以下のうちの少なくとも１つについての情報、すなわち、
前記第２の無線通信ノードによる前記発見信号の伝送のための第１の副搬送波間隔と、
前記発見信号の伝送のための時間ドメイン構成と、
前記発見信号の伝送のための周波数位置と
を備える、請求項２３に記載の方法。
【請求項２５】
前記時間ドメイン構成は、
前記発見信号の伝送のための伝送窓周期と、
前記発見信号を伝送するための時間窓を指す伝送窓のオフセットであって、前記オフセットは、前記発見信号を伝送する前記伝送窓周期内の伝送窓を示す、伝送窓のオフセットと、
前記発見信号の伝送のための前記伝送窓内の少なくとも１つの時間ドメイン位置であって、前記発見信号の伝送のための前記伝送窓内の候補時間ドメイン位置は、前記発見信号と同一の副搬送波間隔を伴う同期化信号ブロック（ＳＳＢ）の伝送のための前記伝送窓内の候補時間ドメイン位置と同一であり、前記少なくとも１つの時間ドメイン位置は、そのサイズが前記候補時間ドメイン位置の数量に等しく、前記発見信号が位置する周波数帯範囲によって決定されるビットマップによって示される、少なくとも１つの時間ドメイン位置と、
前記第２の無線通信ノードの少なくとも１つのホップ順と、
前記第２の無線通信ノードの少なくとも１つの識別子と、
前記第２の無線通信ノードに関する少なくとも１つのセル識別子と
のうちの少なくとも１つに関連する情報を備える、請求項２４に記載の方法。
【請求項２６】
前記伝送窓のオフセットは、前記発見信号を伝送するための前記伝送窓周期内の１つの伝送窓を無作為に決定することによって、決定される、請求項２５に記載の方法。
【請求項２７】
前記監視構成に基づいて、少なくとも１つの他の第２の無線通信ノードによって伝送される少なくとも１つの他の発見信号を監視するために前記第２の無線通信ノードによって利用される監視構成を前記複数の第２の無線通信ノードのそれぞれに伝送することをさらに含む、請求項２３に記載の方法。
【請求項２８】
前記複数の第２の無線通信ノードから受信される前記構成情報に基づいて、前記監視構成を発生させることをさらに含む、請求項２７に記載の方法。
【請求項２９】
請求項１−２８のいずれか１項に記載の方法を実行するように構成される、無線通信ノード。
【請求項３０】
請求項１−２８のいずれか１項に記載の方法を実行するためのコンピュータ実行可能命令をその上に記憶している、非一過性のコンピュータ可読媒体。
【発明の詳細な説明】
【技術分野】
【０００１】
本開示は、概して、無線通信に関し、より具体的には、無線通信ノードが相互を発見するための方法、装置、およびシステムに関する。
【背景技術】
【０００２】
中継技術は、先進ロングタームエボリューション（ＬＴＥ−Ａ）システムによって採用される主な技術のうちの１つであり、ネットワークカバレッジを効果的に拡張し、セルエッジデータレートを改良し、オペレータの構築を縮小し、動作コストを節約するように迅速に展開され得る、無線バックホールを使用することによって、有線伝送ネットワークの構築を回避することができる。中継技術は、第５世代（５Ｇ）新規無線（ＮＲ）ネットワークおよびその後続の進化バージョンでさらに利用されるであろう。例えば、５Ｇ  ＮＲネットワーク内のＩＡＢ（統合アクセスおよびバックホール）技術は、ネットワークトポロジがまた、冗長接続もサポートする、マルチホップ中継システムをさらにサポートすることができる。マルチホップ中継システムでは、中継ノードとその上位親ノードとの間のリンクの品質が不良である場合、中継ノードは、子ノードである中継ノードに関して、新しい親ノードにアクセスする必要がある。中継ノード自体はまた、端末または他の中継ノードを含み得る、１つ以上の従属子ノードのための親ノードでもあり得る。
【０００３】
無線ＩＡＢは、多数の光ファイバを敷く必要なく、ＮＲセルを柔軟に密集して展開し、ネットワーク展開コストを節約するために使用されることができる。ＩＡＢ研究の重要な側面は、ＩＡＢノードが相互を発見することであり、これは、複数のバックホール接続を構築し、通信ロバスト性を改良することにとって重要である。ＩＡＢノードの発見プロセスの研究は、半二重およびマルチホップトポロジに焦点を当てている。半二重制約は、ＩＡＢノードがデータを同時に受信および伝送することができないことを意味する。
【０００４】
ＩＡＢノードを発見するための１つの方法は、ＩＡＢノードからの初期アクセスのために使用される同期化信号ブロック（ＳＳＢ）を受信することによる。すなわち、初期アクセスのために使用されるＳＳＢはまた、他のＩＡＢノードがＩＡＢノードを発見するための発見信号としても使用される。しかし、ＩＡＢノードはまた、従属ユーザ機器（ＵＥ）および子ＩＡＢノードのためのサービスも提供する。したがって、半二重制約下では、ＩＡＢノードは、ＩＡＢノードが初期アクセスのためのその独自のＳＳＢを伝送する、時間ドメイン位置において、他のＩＡＢノードによって送信されるＳＳＢを受信することができない。したがって、初期アクセスのためにＩＡＢノードによって使用されるＳＳＢは、時間ドメイン内で重複しない。
【０００５】
典型的実施例では、初期アクセスのために使用されるＳＳＢの周期が、２０ミリ秒未満またはそれと等しい一方で、各周期内で、ＳＳＢは、ビーム走査様式に従ってハーフフレーム（５ミリ秒）内で伝送される。したがって、複数のＩＡＢノードが時間ドメイン内で重複しないそれらのＳＳＢを有することは困難である。隣接ＩＡＢノードのＳＳＢは、同一の時間ドメイン内で伝送され得る。これらの隣接ＩＡＢノードが相互を発見するために、ＩＡＢノードは、ある周期内にＳＳＢをサイレントに保たなければならない、すなわち、他のＩＡＢノードによって送信されるＳＳＢを監視し、他のＩＡＢノードを発見するために、その周期内にいずれのＳＳＢも伝送してはならない。しかし、初期アクセスＳＳＢのサイレンスは、ＩＡＢノードへのＵＥの初期アクセスに影響を及ぼし得る。
【０００６】
したがって、無線通信ノードが相互を発見するための既存のシステムおよび方法は、完全に満足できるものではない。
【発明の概要】
【課題を解決するための手段】
【０００７】
本明細書に開示される例示的実施形態は、従来技術で提起される問題のうちの１つ以上のものに関する課題を解決すること、ならびに付随する図面と併せて解釈されるとき、以下の詳細な説明を参照することによって容易に明白となるであろう付加的特徴を提供することを対象とする。種々の実施形態によると、例示的システム、方法、デバイス、およびコンピュータプログラム製品が、本明細書に開示される。しかしながら、これらの実施形態は、限定ではなく、一例として提示され、開示される実施形態への種々の修正は、本開示の範囲内に留まりながら行われ得ることが、本開示を熟読する当業者に明白となるであろうことを理解されたい。
【０００８】
一実施形態では、第１の無線通信ノードによって実施される方法が、開示される。本方法は、少なくとも１つの他の第２の無線通信ノードによって発見されるために発見信号を伝送するように第２の無線通信ノードによって利用される、個別の構成情報を複数の第２の無線通信ノードのそれぞれに伝送するステップを含む。複数の第２の無線通信ノードのうちの少なくとも２つは、それらの個別の構成情報に基づいて、異なる時間ドメイン位置においてそれらの発見信号を伝送する。
【０００９】
別の実施形態では、第１の無線通信ノードによって実施される方法が、開示される。本方法は、第２の無線通信ノードから構成情報を受信するステップと、構成情報に基づいて、他の無線通信ノードによって発見されるために発見信号を伝送するステップとを含む。第１の無線通信ノードおよび他の無線通信ノードのうちの少なくとも１つは、それらの個別の構成情報に基づいて、異なる時間ドメイン位置においてそれらの発見信号を伝送する。
【００１０】
さらに別の実施形態では、第１の無線通信ノードによって実施される方法が、開示される。本方法は、構成情報を決定するステップと、構成情報を第２の無線通信ノードに伝送するステップと、構成情報に基づいて、他の無線通信ノードによって発見されるために発見信号を伝送するステップとを含む。第１の無線通信ノードおよび他の無線通信ノードのうちの少なくとも１つは、それらの個別の構成情報に基づいて、異なる時間ドメイン位置においてそれらの発見信号を伝送する。
【００１１】
さらに別の実施形態では、第１の無線通信ノードによって実施される方法が、開示される。本方法は、複数の第２の無線通信ノードのそれぞれから、少なくとも１つの他の第２の無線通信ノードによって発見されるために発見信号を伝送するように第２の無線通信ノードによって利用される、個別の構成情報を受信するステップを含む。複数の第２の無線通信ノードのうちの少なくとも２つは、それらの個別の構成情報に基づいて、異なる時間ドメイン位置においてそれらの発見信号を伝送する。
【００１２】
異なる実施形態では、ある実施形態において開示される方法を実行するように構成される無線通信ノードが、開示される。
【００１３】
さらに別の実施形態では、ある実施形態において開示される方法を実行するためのコンピュータ実行可能命令をその上に記憶している、非一過性のコンピュータ可読媒体が、開示される。
【００１４】
本開示の種々の例示的実施形態は、以下の図を参照して、下記に詳細に説明される。図面は、例証の目的のためのみに提供され、読者の本開示の理解を促進するように本開示の例示的実施形態を描写するにすぎない。したがって、図面は、本開示の範疇、範囲、または適用可能性の限定と見なされるべきではない。例証を明確かつ容易にするために、これらの図面は、必ずしも一定の縮尺で描かれているわけではないことに留意されたい。
【図面の簡単な説明】
【００１５】
【図１】図１は、本開示のある実施形態による、本明細書に開示される技法が実装され得る、例示的統合アクセスおよびバックホール（ＩＡＢ）ネットワークを図示する。
【００１６】
【図２】図２は、本開示のある実施形態による、本明細書に開示される技法が実装され得る、例示的マルチホップ中継システムを図示する。
【００１７】
【図３】図３は、本開示のいくつかの実施形態による、ドナーノード（ＤＮ）のブロック図を図示する。
【００１８】
【図４Ａ】図４Ａは、本開示のいくつかの実施形態による、無線通信ノードを発見するためにＤＮによって実施される方法に関するフローチャートを図示する。
【００１９】
【図４Ｂ】図４Ｂは、本開示のいくつかの実施形態による、無線通信ノードを発見するためにＤＮによって実施される別の方法に関するフローチャートを図示する。
【００２０】
【図５】図５は、本開示のいくつかの実施形態による、中継ノード（ＲＮ）のブロック図を図示する。
【００２１】
【図６Ａ】図６Ａは、本開示のいくつかの実施形態による、無線通信ノードを発見するためにＲＮによって実施される方法に関するフローチャートを図示する。
【００２２】
【図６Ｂ】図６Ｂは、本開示のいくつかの実施形態による、無線通信ノードを発見するためにＲＮによって実施される別の方法に関するフローチャートを図示する。
【００２３】
【図７】図７は、本開示のいくつかの実施形態による、発見信号を伝送するための例示的時間ドメイン構成を図示する。
【００２４】
【図８】図８は、本開示のいくつかの実施形態による、発見信号を伝送するための伝送窓内の例示的時間ドメイン位置を図示する。
【００２５】
【図９】図９は、本開示のいくつかの実施形態による、同期化信号ブロック（ＳＳＢ）信号と発見信号との間の例示的マッピング形式を図示する。
【発明を実施するための形態】
【００２６】
本開示の種々の例示的実施形態は、当業者が本開示を作製および使用することを可能にするように、付随する図面を参照して下記に説明される。当業者に明白となるであろうように、本開示を熟読した後、本明細書に説明される実施例の種々の変更または修正が、本開示の範囲から逸脱することなく行われ得る。したがって、本開示は、本明細書に説明および図示される例示的実施形態ならびに用途に限定されない。加えて、本明細書に開示される方法におけるステップの具体的順序および／または階層は、例示的アプローチにすぎない。設計選好に基づいて、開示される方法またはプロセスのステップの具体的順序または階層は、本開示内に留まりながら再配列されることができる。したがって、当業者は、本明細書に開示される方法および技法が、サンプル順序で種々のステップまたは行為を提示し、本開示が、別様に明示的に記述されない限り、提示される具体的順序または階層に限定されないことを理解するであろう。
【００２７】
典型的無線通信ネットワークは、地理的無線カバレッジをそれぞれ提供する、１つ以上の基地局（典型的には「ＢＳ」として公知である）と、無線カバレッジ内でデータを伝送および受信し得る、１つ以上の無線ユーザ機器デバイス（典型的には「ＵＥ」として公知である）とを含む。無線通信ネットワークでは、ＢＳおよびＵＥは、通信リンクを介して、例えば、ＢＳからＵＥまでのダウンリンク無線フレームを介して、またはＵＥからＢＳまでのアップリンク無線フレームを介して、相互と通信することができる。マルチホップ中継システムでは、１つ以上の中継ノードが、マルチホップ中継システムの各分岐上でＢＳとＵＥとの間に展開されてもよい。ハンドオーバまたは無線リンクの障害に起因して、中継ノードは、古い親ノードとの古いリンクを接続解除し、新しい親ノードに切り替える必要があり得る。しかし、その前に、中継ノードは、例えば、新しい親ノードから発見信号を受信することによって、新しい親ノードを発見する必要がある。発見信号を受信しながら、中継ノードは、半二重制約に起因して、同時にデータを伝送することができない。
【００２８】
異なる中継ノードが、半二重制約下で相互を発見するために、本開示は、構成情報を発生させて伝送し、異なる中継ノードによる発見信号の伝送を効率的に協調させるための方法、装置、およびシステムを提供する。一実施形態では、ドナーノードが、構成情報をドナーノードと関連付けられる複数の中継ノードに伝送することができる。構成情報は、ある時間ドメイン位置において、ある周波数位置において、および／またはある副搬送波間隔を伴って、個別の発見信号を伝送するための各中継ノードを示す。時間ドメイン位置は、中継ノードのＵＥまたは子ノードの初期アクセスプロセスの間の同期化信号ブロック（ＳＳＢ）の伝送のための時間ドメイン位置と異なり得る。周波数位置は、ＳＳＢを伝送するための周波数位置と異なり得、例えば、中継ノードが動作する搬送波周波数の同期化ラスタ上にない場合がある。構成情報はまた、ある時間ドメイン位置において、ある周波数位置において、および／またはある副搬送波間隔を伴って、他の中継ノードからの他の発見信号を監視するための各中継ノードも示し得る。異なる中継ノードに送信される個別の構成情報は、相互の発見信号を監視し、相互を発見し得るように、中継ノードのうちの少なくとも２つが、それらの個別の構成情報に基づいて、異なる時間ドメイン位置においてそれらの発見信号を伝送することを確実にし得る。
【００２９】
別の実施形態では、中継ノードは、少なくとも１つの他の中継ノードによって発見されるために発見信号を伝送するためのその独自の構成情報を決定してもよい。中継ノードは、構成情報に基づいて、ある時間ドメイン位置において、ある周波数位置において、および／またはある副搬送波間隔を伴って、発見信号を伝送する。中継ノードは、監視構成を決定し、監視構成を中継ノードに伝送し得る、ドナーノードに構成情報を送信する。中継ノードは、監視構成に基づいて、ある時間ドメイン位置において、ある周波数位置において、および／またはある副搬送波間隔を伴って、他の中継ノードから他の発見信号を監視してもよい。異なる中継ノードに送信される個別の監視情報は、中継ノードのうちの少なくとも２つが、相互の発見信号を監視し、相互を発見し得ることを確実にし得る。
【００３０】
種々の実施形態では、ＢＳは、ネットワーク側ノードと称され、次世代ノードＢ（ｇＮＢ）、Ｅ−ＵＴＲＡＮノードＢ（ｅＮＢ）、伝送／受信ポイント（ＴＲＰ）、アクセスポイント（ＡＰ）、ドナーノード（ＤＮ）等を含む、またはそれらとして実装されることができる。本開示内のＵＥは、端末と称されることができ、移動局（ＭＳ）、局（ＳＴＡ）等を含む、またはそれらとして実装されることができる。中継ノード（ＲＮ）は、ＢＳのものに類似する機能および／またはＵＥのものに類似する機能を有し得る。ＢＳおよびＲＮは、「無線通信ノード」の非限定的実施例として本明細書に説明され得、ＵＥは、「無線通信デバイス」の非限定的実施例として本明細書に説明され得る。ＢＳ、ＲＮ、およびＵＥは、本明細書に開示される方法を実践することができ、本開示の種々の実施形態によると、無線および／または有線通信が可能であり得る。
【００３１】
図１は、本開示のある実施形態による、本明細書に開示される技法が実装され得る、例示的統合アクセスおよびバックホール（ＩＡＢ）ネットワーク１００を図示する。図１に示されるように、例示的ＩＡＢネットワーク１００は、基地局と、ＩＡＢドナー１１０と、複数のＩＡＢ中継ノード１２１、１２２と、複数のＵＥ１６０、１３１、１３２とを含む。ＩＡＢドナー１１０は、ＩＡＢノード１２１、１２２のための無線バックホール機能を提供するようにコアネットワークに接続され、ＵＥのための無線アクセス機能を提供する。ＩＡＢドナー１１０の下のＵＥ１６０は、ダイレクトＵＥと呼ばれる。ＩＡＢノードは、２つの機能、すなわち、アクセスノード機能およびＵＥ機能を有する。アクセスノード機能は、ＩＡＢノードが基地局のように稼働し、ＵＥのための無線アクセス機能を提供し得ることを意味する。ＵＥ機能は、ＩＡＢノードが、ＩＡＢドナーまたは上位ＩＡＢノードによって制御およびスケジュールされるべきＵＥのように稼働し得ることを意味する。ＩＡＢノードの下のＵＥ、例えば、ＵＥ１３１、１３２は、アクセスＵＥと呼ばれる。
【００３２】
ＩＡＢドナーとＩＡＢノードとの間のリンク、ならびにＩＡＢノードの間のリンクは、バックホールリンク（ＢＬ）と呼ばれる。ＩＡＢノードとＵＥとの間のリンクは、アクセスリンク（ＡＬ）と呼ばれる。図１に示されるように、ＢＬ１４１およびＢＬ１４２が、確立されている一方で、ＩＡＢノード１  １２１およびＩＡＢノード２  １２２は、それらの間にＢＬ１５０を確立し、ハンドオーバまたは無線リンクの障害を回避すること、もしくは通信品質を改良することを所望し得る。
【００３３】
図２は、本開示のある実施形態による、本明細書に開示される技法が実装され得る、例示的マルチホップ中継システム２００を図示する。図２に示されるように、例示的マルチホップ中継システム２００は、中継ノードの２つの分岐に接続されるＩＡＢドナーノード２０１を含む。１つの分岐は、ＩＡＢノード２１  ２２１と、ＩＡＢノード２  ２２２とを含む。ＩＡＢドナーノード２０１は、ひいては、ＩＡＢノード２  ２２２の親ノードである、ＩＡＢノード２１  ２２１の親ノードである。対応して、ＩＡＢノード２  ２２２は、ひいては、ＩＡＢドナーノード２０１の子ノードである、ＩＡＢノード２１  ２２１の子ノードである。別の分岐は、ＩＡＢノード１１  ２１１と、ＩＡＢノード１２  ２１２と、ＩＡＢノード１  ２１３とを含む。ＩＡＢドナー２０１は、各ＩＡＢノードの上位ＩＡＢノードを通して、発見信号の時間ドメイン構成をＩＡＢノードに段階的に伝送することができる。
【００３４】
ＩＡＢノード１  ２１３を含む第２の分岐を実施例として挙げると、発見信号の時間ドメイン構成情報の伝送経路は、ＩＡＢドナー２０１−＞ＩＡＢノード１１  ２１１−＞ＩＡＢノード１２  ２１２−＞ＩＡＢノード１  ２１３である。一実施形態では、ＩＡＢドナー２０１は、第２の分岐内の全てのＩＡＢノードの発見信号に関する構成情報をＩＡＢノード１１  ２１１に伝送する。ＩＡＢノード１１  ２１１は、受信された構成情報からその独自の部分を抽出し、残りの構成情報をＩＡＢノード１２  ２１２に転送し、これは、ひいては、受信された構成情報からその独自の部分を抽出し、残りの構成情報をＩＡＢノード１  ２１３に転送するであろう。ＩＡＢノード２  ２２２を含む、第１の分岐に関する発見信号の時間ドメイン構成情報の伝送モードは、類似様式で稼働する。
【００３５】
図３は、本開示のいくつかの実施形態による、ドナーノード（ＤＮ）３００のブロック図を図示する。ＤＮ３００は、本明細書に説明される種々の方法を実装するように構成され得る、ノードの実施例である。図３に示されるように、ＤＮ３００は、システムクロック３０２と、プロセッサ３０４と、メモリ３０６と、伝送機３１２および受信機３１４を備える、送受信機３１０と、電力モジュール３０８と、発見構成発生器３２０と、中継ノードマネージャ３２１と、発見構成分析器３２２と、監視構成発生器３２３とを含有する、筐体３４０を含む。
【００３６】
本実施形態では、システムクロック３０２は、ＤＮ３００の全ての動作のタイミングを制御するために、タイミング信号をプロセッサ３０４に提供する。プロセッサ３０４は、ＤＮ３００の一般的動作を制御し、中央処理ユニット（ＣＰＵ）、および／または汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート型論理、離散ハードウェアコンポーネント、専用ハードウェア有限状態機械、もしくはデータの計算または他の操作を実施し得る任意の他の好適な回路、デバイスならびに／もしくは構造の任意の組み合わせ等の１つ以上の処理回路もしくはモジュールを含むことができる。
【００３７】
読取専用メモリ（ＲＯＭ）およびランダムアクセスメモリ（ＲＡＭ）の両方を含み得る、メモリ３０６は、命令およびデータをプロセッサ３０４に提供することができる。メモリ３０６の一部はまた、不揮発性ランダムアクセスメモリ（ＮＶＲＡＭ）を含むこともできる。プロセッサ３０４は、典型的には、メモリ３０６内に記憶されたプログラム命令に基づいて、論理および算術演算を実施する。メモリ３０６内に記憶された命令（別名ソフトウェア）は、本明細書に説明される方法を実施するようにプロセッサ３０４によって実行されることができる。プロセッサ３０４およびメモリ３０６はともに、ソフトウェアを記憶および実行する処理システムを形成する。本明細書で使用されるように、「ソフトウェア」は、１つ以上の所望の機能もしくはプロセスを実施するように機械またはデバイスを構成し得る、ソフトウェア、ファームウェア、ミドルウェア、マイクロコード等と称されるかどうかにかかわらず、任意のタイプの命令を意味する。命令は、（例えば、ソースコード形式、バイナリコード形式、実行可能コード形式、またはコードの任意の他の好適な形式で）コードを含むことができる。命令は、１つ以上のプロセッサによって実行されると、処理システムに、本明細書に説明される種々の機能を実施させる。
【００３８】
伝送機３１２と、受信機３１４とを含む、送受信機３１０は、ＤＮ３００が、データを遠隔デバイス（例えば、ＢＳ、ＲＮ、またはＵＥ）に伝送し、そこから受信することを可能にする。アンテナ３５０が、典型的には、筐体３４０に取り付けられ、送受信機３１０に電気的に結合される。種々の実施形態では、ＤＮ３００は、複数の伝送機と、複数の受信機と、複数の送受信機とを含む（図示せず）。一実施形態では、アンテナ３５０は、それぞれが明確に異なる方向を指し示す、複数のビームを形成し得る、マルチアンテナアレイ３５０と置換される。伝送機３１２は、異なるパケットタイプまたは機能を有するパケットを無線で伝送するように構成されることができ、そのようなパケットは、プロセッサ３０４によって発生される。同様に、受信機３１４は、異なるパケットタイプまたは機能を有するパケットを受信するように構成され、プロセッサ３０４は、複数の異なるパケットタイプのパケットを処理するように構成される。例えば、プロセッサ３０４は、パケットのタイプを決定するように、かつパケットおよび／またはそれに応じてパケットのフィールドを処理するように構成されることができる。
【００３９】
ＤＮ３００と、ＤＮ３００と関連付けられる中継ノードとを含む、通信システムでは、ＤＮ３００は、相互を発見するように中継ノード（ＲＮ）を協調させることに役立ち得る。一実施形態では、ＤＮ３００は、ＲＮのための発見構成を発生させることができる。例えば、発見構成発生器３２０は、少なくとも１つの他のＲＮによって発見されるために発見信号を伝送するようにＲＮによって利用され得る、構成情報を発生させてもよい。発見構成発生器３２０は、ＲＮのうちの少なくとも２つが、それらの個別の構成情報に基づいて、異なる時間ドメイン位置においてそれらの発見信号を伝送するように、伝送機３１２を介して個別の構成情報をＲＮのそれぞれに伝送してもよい。
【００４０】
一実施形態では、ＲＮ毎の個別の構成情報は、以下のうちの少なくとも１つについての情報、すなわち、ＲＮによる発見信号の伝送のための第１の副搬送波間隔と、発見信号の伝送のための時間ドメイン構成と、発見信号の伝送のための周波数位置と、ＲＮが少なくとも１つの他のＲＮによって伝送される少なくとも１つの他の発見信号を監視するための監視構成とを備える。時間ドメイン構成は、発見信号の伝送のための伝送窓周期、発見信号を伝送するための時間窓を指す伝送窓のオフセット、発見信号の伝送のための伝送窓内の少なくとも１つの時間ドメイン位置、ＲＮの少なくとも１つのホップ順、ＲＮの少なくとも１つの識別子、およびＲＮに関する少なくとも１つのセル識別子のうちの少なくとも１つに関連する情報を備える。オフセットは、発見信号を伝送する伝送窓周期内の伝送窓を示す。発見信号の伝送のための伝送窓内の候補時間ドメイン位置は、発見信号と同一の副搬送波間隔を伴うＳＳＢの伝送のための伝送窓内の候補時間ドメイン位置と同一である。少なくとも１つの時間ドメイン位置は、そのサイズが候補時間ドメイン位置の数量に等しく、発見信号が位置する周波数帯範囲によって決定される、ビットマップによって示される。
【００４１】
一実施形態では、発見信号の伝送のための周波数位置は、発見信号の中心周波数位置を指す。発見信号の伝送のための周波数位置は、新規無線絶対無線周波数チャネル番号（ＮＲ−ＡＲＦＣＮ）によって示される。発見信号の伝送のための周波数位置のデフォルト値は、ＲＮの初期アクセスプロセスのためのＳＳＢの搬送波中心周波数または中心周波数である。
【００４２】
一実施形態では、監視構成は、少なくとも１つの他の発見信号を監視するための周波数位置、少なくとも１つの他の発見信号の第２の副搬送波間隔、および少なくとも１つの監視窓構成のうちの少なくとも１つについての情報を備える。少なくとも１つの他の発見信号を監視するための周波数位置は、少なくとも１つの他の発見信号の中心周波数位置を指し得る。少なくとも１つの他の発見信号を監視するための周波数位置のデフォルト値は、発見信号の伝送のための搬送波中心周波数または中心周波数位置である。第２の副搬送波間隔のデフォルト値は、ＲＮの初期アクセスプロセスのためのＳＳＢの副搬送波間隔である。少なくとも１つの監視窓構成はそれぞれ、少なくとも１つの監視されたセルまたは少なくとも１つの監視されたＲＮに対応する。少なくとも１つの監視窓構成は、監視窓周期、監視窓のオフセット、監視窓の持続時間、監視窓内で監視される少なくとも１つの発見信号の時間ドメイン位置、ＲＮによる発見信号の伝送のための全ての時間ドメイン構成、少なくとも１つの監視されたセルに関する少なくとも１つの識別子、少なくとも１つの監視されたＲＮに関する少なくとも１つのホップ順、および少なくとも１つの監視されたＲＮに関する少なくとも１つの識別子のうちの少なくとも１つを備える。監視窓のオフセットは、少なくとも１つの発見信号を監視する監視窓周期内の監視窓を示す。少なくとも１つの発見信号の時間ドメイン位置は、そのサイズが、少なくとも１つの発見信号が監視される周波数帯範囲によって決定される、ビットマップによって示される。
【００４３】
種々の実施形態によると、ＤＮ３００は、ＤＮ３００と関連付けられるＲＮのための伝送構成を管理する。例えば、中継ノードマネージャ３２１は、ＲＮに関する管理関連情報を発生させる、および／または決定してもよい。
【００４４】
一実施例では、管理関連情報は、各ＲＮのＵＥまたは子ノードの初期アクセスプロセスの間のＳＳＢの伝送のための時間ドメイン構成を含んでもよい。中継ノードマネージャ３２１は、ＲＮのうちの少なくとも１つに関して、発見信号の伝送のための時間ドメイン構成が、ＲＮのＵＥまたは子ノードの初期アクセスプロセスの間のＳＳＢの伝送のための時間ドメイン構成と異なるように、管理関連情報を発見構成発生器３２０に送信し、適切な発見構成を発生させることができる。
【００４５】
別の実施例では、管理関連情報は、周波数情報、例えば、各ＲＮが動作する搬送波周波数の同期化ラスタを含んでもよい。中継ノードマネージャ３２１は、ＲＮのうちの少なくとも１つに関して、発見信号の伝送のための周波数位置が、ＲＮが動作する搬送波周波数の同期化ラスタ上にないように、管理関連情報を発見構成発生器３２０に送信し、適切な発見構成を発生させることができる。
【００４６】
さらに別の実施例では、管理関連情報は、各ＲＮのホップおよび分岐関連情報、例えば、ＲＮの子ノードについての情報を含んでもよい。中継ノードマネージャ３２１は、ＲＮのうちの少なくとも１つに関して、個別の構成情報が、例えば、ＲＮの子ノードを含む、１つ以上のＲＮのための少なくとも１つの時間ドメイン構成を備え、発見信号を伝送するように、管理関連情報を発見構成発生器３２０に送信し、適切な発見構成を発生させることができる。
【００４７】
一実施形態では、ＤＮ３００は、発見信号の伝送のための時間ドメイン構成を発生させるものではない場合がある。ＤＮ３００は、代わりに、ＲＮ自体からの発見信号の伝送のために、構成情報、例えば、時間ドメイン構成を受信してもよい。ＤＮ３００は、システム事前定義または所定の規格もしくはプロトコルに基づいて、発見構成を発生させるか、または発見構成を受信するかどうかについて、発見構成モードを決定してもよい。例えば、中継ノードマネージャ３２１は、発見構成モードを決定し、発見構成発生器３２０に発見構成を発生させるように、または発見構成分析器３２２に発見構成を受信するようにいずれかを命令してもよい。
【００４８】
本実施例における発見構成分析器３２２は、受信機３１４を介して、ＤＮ３００と関連付けられるＲＮのそれぞれから、少なくとも１つの他のＲＮによって発見されるために発見信号を伝送するようにＲＮによって利用される、個別の構成情報を受信してもよい。一実施形態では、ＲＮのうちの少なくとも２つは、それらの個別の構成情報に基づいて、異なる時間ドメイン位置においてそれらの発見信号を伝送する。
【００４９】
発見構成分析器３２２は、各構成情報を分析し、そのコンテンツを決定してもよい。一実施形態では、ＲＮ毎の個別の構成情報は、以下のうちの少なくとも１つについての情報、すなわち、ＲＮによる発見信号の伝送のための第１の副搬送波間隔と、発見信号の伝送のための時間ドメイン構成と、発見信号の伝送のための周波数位置とを備える。時間ドメイン構成は、発見信号の伝送のための伝送窓周期、発見信号を伝送するための時間窓を指す伝送窓のオフセット、発見信号の伝送のための伝送窓内の少なくとも１つの時間ドメイン位置、ＲＮの少なくとも１つのホップ順、ＲＮの少なくとも１つの識別子、およびＲＮに関する少なくとも１つのセル識別子のうちの少なくとも１つに関連する情報を備えてもよい。オフセットは、発見信号を伝送する伝送窓周期内の伝送窓を示す。発見信号の伝送のための伝送窓内の候補時間ドメイン位置は、発見信号と同一の副搬送波間隔を伴うＳＳＢの伝送のための伝送窓内の候補時間ドメイン位置と同一である。少なくとも１つの時間ドメイン位置は、そのサイズが候補時間ドメイン位置の数量に等しく、発見信号が位置する周波数帯範囲によって決定される、ビットマップによって示される。一実施形態では、伝送窓のオフセットは、各ＲＮが発見信号を伝送するための伝送窓周期内の１つの伝送窓を無作為に決定することによって、決定される。発見構成分析器３２２は、監視構成を発生させるための監視構成発生器３２３に分析された構成情報を送信してもよい。
【００５０】
本実施例における監視構成発生器３２３は、複数のＲＮから受信される構成情報に基づいて、監視構成を発生させてもよい。監視構成発生器３２３は、伝送機３１２を介して、監視構成に基づいて、少なくとも１つの他のＲＮによって伝送される少なくとも１つの他の発見信号を監視するためにＲＮによって利用される、個別の構成情報をＲＮのそれぞれに伝送してもよい。一実施形態では、異なるＲＮに送信される個別の監視情報は、ＲＮのうちの少なくとも２つが相互の発見信号を監視し、相互を発見し得ることを確実にし得る。
【００５１】
電力モジュール３０８は、１つ以上のバッテリ等の電源と、調整された電力を図３の上記に説明されるモジュールのそれぞれに提供するための電力レギュレータとを含むことができる。いくつかの実施形態では、ＤＮ３００が専用外部電源（例えば、壁の電気コンセント）に結合される場合、電力モジュール３０８は、変圧器と、電力レギュレータとを含むことができる。
【００５２】
上記に議論される種々のモジュールは、バスシステム３３０によってともに結合される。バスシステム３３０は、データバスと、例えば、電力バス、制御信号バス、および／またはデータバスに加えて、ステータス信号バスとを含むことができる。ＤＮ３００のモジュールは、任意の好適な技法および媒体を使用して、相互に動作可能に結合され得ることを理解されたい。
【００５３】
いくつかの別個のモジュールまたはコンポーネントが、図３に図示されるが、当業者は、モジュールのうちの１つ以上のものが組み合わせられる、もしくは一般的に実装され得ることを理解するであろう。例えば、プロセッサ３０４は、プロセッサ３０４に関して上記に説明される機能性を実装するだけではなく、発見構成発生器３２０に関して上記に説明される機能性を実装することもできる。逆に、図３に図示されるモジュールはそれぞれ、複数の別個のコンポーネントまたは要素を使用して実装されることができる。
【００５４】
図４Ａは、本開示のいくつかの実施形態による、無線通信ノードを発見するために、ＤＮ、例えば、図３のＤＮ３００によって実施される方法４１０に関するフローチャートを図示する。動作４１２では、ＤＮは、ＤＮと関連付けられる複数の中継ノードについての管理関連情報を決定する。動作４１４では、ＤＮは、少なくとも１つの他の中継ノードによって発見されるために発見信号を伝送するように中継ノードによって利用されるべき個別の構成情報を発生させる。動作４１６では、ＤＮは、個別の構成情報を複数の中継ノードのそれぞれに伝送する。
【００５５】
図４Ｂは、本開示のいくつかの実施形態による、無線通信ノードを発見するために、ＤＮ、例えば、図３のＤＮ３００によって実施される別の方法４２０に関するフローチャートを図示する。動作４２２では、ＤＮは、複数の中継ノードのそれぞれから、発見信号を伝送するために中継ノードによって利用されるべき個別の構成情報を受信する。動作４２４では、ＤＮは、各構成情報を分析する。動作４２６では、ＤＮは、複数の中継ノードからの構成情報に基づいて、監視構成を発生させる。動作４２８では、ＤＮは、個別の監視構成を複数の中継ノードのそれぞれに伝送する。
【００５６】
図５は、本開示のいくつかの実施形態による、中継ノード（ＲＮ）５００のブロック図を図示する。ＲＮ５００は、本明細書に説明される種々の方法を実装するように構成され得る、ノードの実施例である。図５に示されるように、ＲＮ５００は、システムクロック５０２と、プロセッサ５０４と、メモリ５０６と、伝送機５１２および受信機５１４を備える、送受信機５１０と、電力モジュール５０８と、発見構成分析器５２０と、発見構成発生器５２１と、発見信号発生器５２２と、発見信号監視コントローラ５２３と、発見信号モニタ５２４とを含有する、筐体５４０を含む。
【００５７】
本実施形態では、システムクロック５０２、プロセッサ５０４、メモリ５０６、送受信機５１０、および電力モジュール５０８は、ＤＮ３００内のシステムクロック３０２、プロセッサ３０４、メモリ３０６、送受信機３１０、および電力モジュール３０８と同様に稼働する。アンテナ５５０またはマルチアンテナアレイ５５０が、典型的には、筐体４４０に取り付けられ、送受信機５１０に電気的に結合される。
【００５８】
通信システムでは、ＲＮ５００は、ＤＮと関連付けられてもよい。例えば、ＲＮ５００は、マルチホップ中継システム内で親ノードおよび子ノードに接続されてもよい。しかし、ＲＮ５００は、マルチホップ中継システムの他の分岐内の他の中継ノードを発見することを所望する、および／または他の分岐内の他の中継ノードがＲＮ５００を発見することを所望し得る。
【００５９】
一実施形態では、ＲＮ５００および他の中継ノードは、関連付けられるＤＮによって発生される構成情報に基づいて、相互を発見してもよい。例えば、発見構成分析器５２０は、受信機５１４を介して、ＤＮから構成情報を受信してもよい。発見構成分析器５２０は、構成情報を分析し、そのコンテンツおよびインジケーションを決定してもよい。
【００６０】
一実施形態では、構成情報は、以下のうちの少なくとも１つについての情報、すなわち、発見信号の伝送のための第１の副搬送波間隔と、発見信号の伝送のための時間ドメイン構成と、発見信号の伝送のための周波数位置と、少なくとも１つの他のＲＮによって伝送される少なくとも１つの他の発見信号を監視するための監視構成とを備える。一実施形態では、時間ドメイン構成は、発見信号の伝送のための伝送窓周期、発見信号を伝送するための時間窓を指す伝送窓のオフセット、発見信号の伝送のための伝送窓内の少なくとも１つの時間ドメイン位置、ＲＮ５００の少なくとも１つのホップ順、ＲＮ５００の少なくとも１つの識別子、およびＲＮ５００に関する少なくとも１つのセル識別子のうちの少なくとも１つに関連する情報を備える。オフセットは、発見信号を伝送する伝送窓周期内の伝送窓を示す。発見信号の伝送のための伝送窓内の候補時間ドメイン位置は、発見信号と同一の副搬送波間隔を伴うＳＳＢの伝送のための伝送窓内の候補時間ドメイン位置と同一である。少なくとも１つの時間ドメイン位置は、そのサイズが候補時間ドメイン位置の数量に等しく、発見信号が位置する周波数帯範囲によって決定される、ビットマップによって示される。一実施形態では、発見信号の伝送のための時間ドメイン構成は、ＲＮ５００のＵＥまたは子ノードの初期アクセスプロセスの間のＳＳＢの伝送のための時間ドメイン構成と異なる。
【００６１】
一実施形態では、発見信号の伝送のための周波数位置は、発見信号の中心周波数位置を指す。発見信号の伝送のための周波数位置は、新規無線絶対無線周波数チャネル番号（ＮＲ−ＡＲＦＣＮ）によって示される。発見信号の伝送のための周波数位置のデフォルト値は、ＲＮ５００のＵＥに関する初期アクセスプロセスのためのＳＳＢの搬送波中心周波数または中心周波数である。一実施形態では、発見信号の伝送のための周波数位置は、ＲＮ５００が動作する搬送波周波数の同期化ラスタ上にない。
【００６２】
一実施形態では、構成情報は、ＲＮ５００の少なくとも１つの子ノードが発見信号を伝送するための少なくとも１つの時間ドメイン構成を備える。発見構成分析器５２０は、発見信号を発生させるための発見信号発生器５２２に、および／または他のＲＮの他の発見信号を監視するための発見信号モニタ５２４に分析された構成情報を送信してもよい。
【００６３】
一実施形態では、発見信号発生器５２２は、伝送機５１２を介して、発見構成分析器５２０によって分析される構成情報に基づいて、他のＲＮによって発見されるために発見信号を伝送してもよい。一実施例では、ＤＮと関連付けられる中継ノードはそれぞれ、ＲＮ５００および少なくとも１つの他のＲＮが、それらの個別の構成情報に基づいて、異なる時間ドメイン位置においてそれらの発見信号を伝送するように、個別の構成情報を受信する。
【００６４】
本実施例における発見信号モニタ５２４は、発見構成分析器５２０によって分析される構成情報、例えば、発見構成分析器５２０からの監視構成に基づいて、少なくとも１つの他のＲＮによって伝送される少なくとも１つの他の発見信号を監視してもよい。一実施形態では、監視構成は、少なくとも１つの他の発見信号を監視するための周波数位置、少なくとも１つの他の発見信号の第２の副搬送波間隔、および少なくとも１つの監視窓構成のうちの少なくとも１つについての情報を備える。一実施形態では、少なくとも１つの他の発見信号を監視するための周波数位置は、少なくとも１つの他の発見信号の中心周波数位置を指す。一実施形態では、少なくとも１つの他の発見信号を監視するための周波数位置のデフォルト値は、発見信号の伝送のための搬送波中心周波数または中心周波数位置である。一実施形態では、第２の副搬送波間隔のデフォルト値は、監視された少なくとも１つの他のＲＮの初期アクセスプロセスのためのＳＳＢの副搬送波間隔である。一実施形態では、少なくとも１つの監視窓構成はそれぞれ、少なくとも１つのセルまたは少なくとも１つの監視されたＲＮに対応する。
【００６５】
一実施形態では、少なくとも１つの監視窓構成は、監視窓周期、監視窓のオフセット、監視窓の持続時間、監視窓内で監視される少なくとも１つの発見信号の時間ドメイン位置、他のＲＮによる発見信号の伝送のための時間ドメイン構成、少なくとも１つの監視されたセルに関する少なくとも１つの識別子、少なくとも１つの監視されたＲＮに関する少なくとも１つのホップ順、および少なくとも１つの監視されたＲＮに関する少なくとも１つの識別子のうちの少なくとも１つを備える。監視窓のオフセットは、少なくとも１つの発見信号を監視する監視窓周期内の監視窓を示す。少なくとも１つの発見信号の時間ドメイン位置は、そのサイズが、少なくとも１つの発見信号が監視される周波数帯範囲によって決定される、ビットマップによって示される。
【００６６】
本実施例における発見信号監視コントローラ５２３は、例えば、発見構成分析器５２０からの監視構成に基づいて、ＲＮ５００の発見信号監視を制御してもよい。例えば、発見信号監視コントローラ５２３が、監視構成とＲＮ５００のデータを伝送するための伝送構成との間に衝突があることを決定した後、発見信号監視コントローラ５２３は、所定の優先順位ルールに基づいて、監視構成に従って少なくとも１つの他の発見信号を監視するか、または衝突時間位置においてデータを伝送するかどうかを決定してもよい。
【００６７】
異なる発見構成モードに従って、発見構成分析器５２０は、監視構成を備える構成情報を受信するか、または独立監視構成を受信するかのいずれかであってもよい。後者の場合、発見構成発生器５２１は、ＲＮ５００自体に関する構成情報を発生させ、伝送機５１２を介して、構成情報をＲＮ５００と関連付けられるＤＮに伝送してもよい。この場合、構成情報は、以下のうちの少なくとも１つについての情報、すなわち、発見信号の伝送のための第１の副搬送波間隔と、発見信号の伝送のための時間ドメイン構成と、発見信号の伝送のための周波数位置とを備える。時間ドメイン構成は、発見信号の伝送のための伝送窓周期、発見信号を伝送するための時間窓を指す伝送窓のオフセット、発見信号の伝送のための伝送窓内の少なくとも１つの時間ドメイン位置、ＲＮ５００の少なくとも１つのホップ順、ＲＮ５００の少なくとも１つの識別子、およびＲＮ５００に関する少なくとも１つのセル識別子のうちの少なくとも１つに関連する情報を備えてもよい。一実施形態では、オフセットは、発見信号を伝送する伝送窓周期内の伝送窓を示す。一実施形態では、発見信号の伝送のための伝送窓内の候補時間ドメイン位置は、発見信号と同一の副搬送波間隔を伴うＳＳＢの伝送のための伝送窓内の候補時間ドメイン位置と同一である。一実施形態では、少なくとも１つの時間ドメイン位置は、そのサイズが候補時間ドメイン位置の数量に等しく、発見信号が位置する周波数帯範囲によって決定される、ビットマップによって示される。
【００６８】
一実施形態では、構成情報を発生させるステップは、発見信号を伝送するための伝送窓周期内の１つの伝送窓を無作為に決定することによって、伝送窓のオフセットを決定するステップを含む。一実施形態では、構成情報は、発見信号の伝送のための時間ドメイン構成が、ＲＮ５００のＵＥまたは子ノードの初期アクセスプロセスの間のＳＳＢの伝送のための時間ドメイン構成と異なる、および／または発見信号の伝送のための周波数位置が、ＲＮ５００が動作する搬送波周波数の同期化ラスタ上にないような様式で、発見構成発生器５２１によって発生される。
【００６９】
発見構成発生器５２１は、発見信号を発生させるための発見信号発生器５２２に発生された構成情報を送信してもよい。この場合の発見信号発生器５２２は、伝送機５１２を介して、構成情報に基づいて、他のＲＮによって発見されるために発見信号を伝送してもよい。一実施形態では、ＲＮ５００および少なくとも１つの他のＲＮは、それらの個別の構成情報に基づいて、異なる時間ドメイン位置においてそれらの発見信号を伝送する。この場合の発見信号モニタ５２４は、発見構成分析器５２０によって受信される独立監視構成に基づいて、少なくとも１つの他のＲＮによって伝送される少なくとも１つの他の発見信号を監視してもよい。
【００７０】
上記に議論される種々のモジュールは、バスシステム５３０によってともに結合される。バスシステム５３０は、データバスと、例えば、電力バス、制御信号バス、および／またはデータバスに加えてステータス信号バスとを含むことができる。ＲＮ５００のモジュールは、任意の好適な技法および媒体を使用して、相互に動作可能に結合され得ることを理解されたい。
【００７１】
いくつかの別個のモジュールまたはコンポーネントが、図５に図示されるが、当業者は、モジュールのうちの１つ以上のものが組み合わせられる、もしくは一般的に実装され得ることを理解するであろう。例えば、プロセッサ５０４は、プロセッサ５０４に関して上記に説明される機能性を実装するだけではなく、発見構成発生器５２１に関して上記に説明される機能性を実装することもできる。逆に、図５に図示されるモジュールはそれぞれ、複数の別個のコンポーネントまたは要素を使用して実装されることができる。
【００７２】
図６Ａは、本開示のいくつかの実施形態による、無線通信ノードを発見するために、ＲＮ、例えば、図５のＲＮ５００によって実施される方法６１０に関するフローチャートを図示する。動作６１２では、ＲＮは、ドナーノードから、発見信号を伝送するためにＲＮによって利用されるべき構成情報を受信する。動作６１４では、ＲＮは、構成情報を分析する。動作６１６では、ＲＮは、構成情報に基づいて、少なくとも１つの他の中継ノードによって発見されるために発見信号を発生させ、伝送する。動作６１８では、ＲＮは、構成情報に基づいて、少なくとも１つの他の中継ノードによって伝送される少なくとも１つの他の発見信号を監視する。
【００７３】
図６Ｂは、本開示のいくつかの実施形態による、無線通信ノードを発見するために、ＲＮ、例えば、図５のＲＮ５００によって実施される別の方法に関するフローチャートを図示する。動作６２２では、ＲＮは、発見信号を伝送するために中継ノードによって利用されるべき構成情報を発生させる。動作６２４では、ＲＮは、構成情報を中継ノードと関連付けられるドナーノードに伝送する。動作６２６では、ＲＮは、構成情報に基づいて、少なくとも１つの他の中継ノードによって発見されるために発見信号を発生させ、伝送する。動作６２８では、ＲＮは、ドナーノードから監視構成を受信し、分析する。動作６２９では、ＲＮは、監視情報に基づいて、少なくとも１つの他の中継ノードによって伝送される少なくとも１つの他の発見信号を監視する。
【００７４】
本開示の異なる実施形態が、ここで、本明細書の以降で詳細に説明されるであろう。本開示における実施形態および実施例の特徴は、衝突を伴わない任意の様式で相互と組み合わせられ得ることに留意されたい。
【００７５】
一実施形態によると、ネットワーク側は、ＩＡＢノードに関する発見信号構成情報を提供してもよい。構成情報は、以下のうちの１つ以上のもの、すなわち、発見信号によって使用される副搬送波間隔（ＳＣＳ）と、発見信号伝送の時間ドメイン構成と、発見信号の監視構成とを含んでもよい。
【００７６】
さらに、発見信号伝送の時間ドメイン構成は、伝送窓の周期、伝送窓のオフセット、および伝送窓内の発見信号の時間ドメイン位置のうちの少なくとも１つを備えるという点で特徴付けられる。伝送窓は、発見信号を伝送するためのハーフフレーム時間窓を指す。伝送窓のオフセットは、発見信号を伝送する伝送窓周期内の伝送窓を示すために使用される。伝送窓内の発見信号の時間ドメイン位置は、ビットマップによって示され得る。ビットマップのサイズは、発見信号が位置する周波数帯の範囲によって決定される。
【００７７】
さらに、発見信号伝送の時間ドメイン構成はさらに、構成されたＩＡＢノード識別子またはセル識別子を使用することによって特徴付けられる。さらに、ネットワーク側は、ＩＡＢノードのために発見信号伝送の時間ドメイン構成の１つ以上のセットを提供する。発見信号伝送の時間ドメイン構成の１つ以上のセットは、ＩＡＢノードおよびＩＡＢノードの子ＩＡＢノードが発見信号を伝送するために使用される。各セットは、少なくとも１つのＩＡＢノードが発見信号を送信するために使用される。
【００７８】
さらに、発見信号の監視構成は、発見信号を監視または測定するようにＩＡＢノードに命令するためのタイミング構成が、監視の周波数位置、監視された発見信号の副搬送波間隔、および１つ以上の監視窓構成のうちの少なくとも１つを含むという点で特徴付けられる。監視の周波数位置は、監視された発見信号の中心周波数位置を指す。さらに、監視された発見信号の副搬送波間隔は、副搬送波間隔のデフォルト値が初期アクセスのためにＩＡＢノードによって提供されるＳＳＢの副搬送波間隔であるという点で特徴付けられる。
【００７９】
さらに、１つ以上の監視窓構成は、各監視構成が１つ以上のセル、もしくは１つ以上のＩＡＢノードに対応するという点で特徴付けられる。さらに、監視窓構成は、監視窓の周期、監視窓のオフセット、監視窓の持続時間、監視窓内で監視される発見信号の時間ドメイン位置、１つ以上の監視されたセル、およびＩＡＢノードに関する１つ以上の識別子のうちの少なくとも１つを含む。監視窓のオフセットは、発見信号を監視するために使用される監視窓周期内の監視窓を示すために使用される。監視窓内で監視されている発見信号の時間ドメイン場所は、ビットマップによって示される。ビットマップのサイズは、監視された信号が監視されている周波数帯の範囲によって決定される。
【００８０】
さらに、発見信号構成情報は、発見信号の周波数位置をさらに含むことによって特徴付けられる。発見信号の周波数位置は、発見信号の中心周波数位置を指す。さらに、監視の周波数位置は、周波数位置のデフォルト値が発見信号の搬送波中心周波数または周波数位置であるという点で特徴付けられる。さらに、発見信号の周波数ドメイン位置は、ＮＲ絶対無線周波数チャネル番号（ＮＲ−ＡＲＦＣＮ）によって示され得る。発見信号の周波数ドメイン場所のデフォルト値は、初期アクセスのためにＩＡＢノードによって提供されるＳＳＢの搬送波中心周波数または中心周波数位置である。
【００８１】
ＩＡＢノードは、ネットワーク側によって提供される発見信号構成情報を受信してもよい。構成情報は、以下のうちの１つ以上のもの、すなわち、発見信号によって使用される副搬送波間隔（ＳＣＳ）、発見信号伝送の時間ドメイン構成、および発見信号の監視構成を含む。
【００８２】
ＩＡＢノードは、構成情報に従って発見信号を送信してもよい、および／または他のＩＡＢノードによって送信される発見信号をリッスンしてもよい。さらに、発見信号伝送の時間ドメイン構成は、伝送窓の周期、伝送窓のオフセット、および伝送窓内の発見信号の時間ドメイン位置のうちの少なくとも１つを含む。伝送窓は、発見信号を伝送するためのハーフフレーム時間窓を指す。伝送窓のオフセットは、発見信号を伝送する伝送窓周期内の伝送窓を示すために使用される。伝送窓内の発見信号の時間ドメイン位置は、ビットマップによって示される。ビットマップのサイズは、発見信号が位置する周波数帯の範囲によって決定される。
【００８３】
さらに、発見信号伝送の時間ドメイン構成はさらに、構成されたＩＡＢノード識別子またはセル識別子を使用することによって特徴付けられる。さらに、ＩＡＢノードは、構成情報に従って発見信号を送信する。発見信号が、各伝送窓周期内の伝送窓のオフセットによって示される伝送窓内で送信される。
【００８４】
第１の伝送窓周期の間に、発見信号は、伝送窓のオフセットによって示される伝送窓内で伝送される。後続の伝送窓周期内の伝送窓は、前の伝送窓周期内の伝送窓のインデックスによって決定される。第１の伝送窓周期は、ＩＡＢノードがネットワーク側によって提供される発見信号の時間ドメイン構成を受信した後の第１の伝送窓周期を指す。
【００８５】
一実施形態では、ＩＡＢノードは、そのホップ順または番号、ＩＡＢノード識別子、もしくはセル識別子に従って、伝送窓周期内で発見信号を伝送するための伝送窓を決定する。例えば、ホップ順を使用し、例えば、Ｎが伝送窓周期内の利用可能な伝送窓の数である、（ホップ順＋１）  ｍｏｄ  Ｎに基づいて、伝送窓インデックスを決定する。
【００８６】
さらに、伝送窓周期毎に、伝送窓内の発見信号の時間ドメイン場所は、同一である。さらに、発見信号の監視構成は、発見信号を監視または測定するようにＩＡＢノードに命令するためのタイミング構成が、監視の周波数位置、監視された発見信号の副搬送波間隔、および１つ以上の監視窓構成のうちの少なくとも１つを含むという点で特徴付けられる。監視の周波数位置は、監視された発見信号の中心周波数位置を指す。
【００８７】
さらに、監視された発見信号の副搬送波間隔は、副搬送波間隔のデフォルト値が初期アクセスのためにＩＡＢノードによって提供されるＳＳＢの副搬送波間隔であるという点で特徴付けられる。さらに、１つ以上の監視窓構成は、各監視構成が１つ以上のセル、もしくは１つ以上のＩＡＢノードに対応するという点で特徴付けられる。
【００８８】
さらに、監視窓構成は、監視窓の周期、監視窓のオフセット、監視窓の持続時間、監視窓内で監視される発見信号の時間ドメイン位置、１つ以上の監視されたセル、およびＩＡＢノードに関する１つ以上の識別子のうちの少なくとも１つを含む。監視窓のオフセットは、発見信号を監視するためにある監視窓周期内の監視窓を示すために使用される。監視窓内で監視されている発見信号の時間ドメイン場所は、ビットマップによって示され、そのサイズは、監視された信号が監視されている周波数帯の範囲によって決定される。
【００８９】
さらに、ＩＡＢノードは、構成情報に従って他のＩＡＢノードによって送信される発見信号を監視し、監視窓の構成が、ＩＡＢノードのデータ伝送、特に、周期的に伝送されるセルレベル信号または情報と衝突する場合、いくつかの優先順位ルールがＩＡＢノードに関して事前決定され得るという点で特徴付けられる。ＩＡＢノードは、優先順位ルールに従って、発見信号を監視するか、またはデータを送信するかどうかを決定することができる。代替として、プロトコルによって限定されることなく、ＩＡＢノード自体が、発見信号を監視するか、またはデータを送信するかどうかを決定する。さらに、ＩＡＢノードはまた、ＩＡＢノードの重要なデータの伝送タイミングと衝突しない、特に、周期的に伝送されるセルレベル信号または情報と衝突しない限り、発見信号を監視するためのタイミングを決定してもよい。
【００９０】
別の実施形態によると、ネットワーク側は、ＩＡＢノードによって提供される発見信号伝送の時間ドメイン構成を受信する。発見信号伝送の時間ドメイン構成は、ＩＡＢノードが他のＩＡＢノードによって発見され得るように、他のＩＡＢノードのための発見信号の監視構成を提供するためにネットワーク側によって使用される。
【００９１】
ネットワーク側は、ＩＡＢノードに発見信号を監視するための監視構成を提供する。発見信号の監視構成は、監視の周波数位置、監視された発見信号の副搬送波間隔、および１つ以上の監視窓構成のうちの少なくとも１つを含む、発見信号のタイミング構成を監視または測定するようにＩＡＢノードに命令するために使用される。監視の周波数位置は、監視された発見信号の中心周波数位置を指す。監視構成に関連する他の情報は、前の実施形態におけるものに類似する。
【００９２】
ＩＡＢノード側で、ＩＡＢノードは、ネットワーク側によって提供される発見信号の監視構成を受信してもよい。ＩＡＢノードは、発見信号の監視構成に従って、他のＩＡＢノードによって送信される発見信号を監視または測定する。監視構成に関連する他の情報および動作は、前の実施形態におけるものに類似し得る。
【００９３】
さらに、ＩＡＢノードは、発見信号伝送の時間ドメイン構成を決定することができる。ＩＡＢノードは、伝送窓のオフセットを決定し、すなわち、以下の方法に従って、伝送窓周期内の伝送窓内で発見信号を伝送してもよい。ＩＡＢノードは、発見信号を伝送するための伝送窓周期内の１つの伝送窓を無作為に決定する。例えば、ＩＡＢノードは、Ｎが伝送窓周期内の利用可能な伝送窓の数である、伝送窓周期内で発見信号を伝送するための伝送窓インデックスとして、範囲［０，Ｎ−１］内の整数を無作為に発生させる。
【００９４】
さらに、ＩＡＢノード自体がまた、伝送窓内の発見信号の時間ドメイン場所を決定することができる。さらに、ＩＡＢノードは、以下のうちの１つ以上のもの、すなわち、伝送窓の周期、伝送窓のオフセット、伝送窓内の発見信号の時間ドメイン場所、ＩＡＢノード識別子、またはセル識別子を含む、発見信号を送信するための時間ドメイン構成をネットワーク側に提供する。
【００９５】
種々の実施形態によると、ネットワーク側は、動作管理維持（ＯＡＭ）、または機器管理システム（ＥＭＳ）、もしくはネットワーク管理システム（ＮＭＳ）、またはＩＡＢドナー、もしくは親ＩＡＢノード、またはマネージャＩＡＢノードを含んでもよい。以下の実施形態では、ネットワーク側は、実施例としてＩＡＢドナーを使用し、ＩＡＢドナーは、構成情報をＩＡＢノードに提供する。
【００９６】
第１の実施形態では、ＩＡＢドナーは、発見信号伝送のための時間ドメイン構成を提供する。本実施形態は、集中型様式で発見信号伝送の時間ドメイン構成を構成するための方式であり、ＩＡＢノードが発見信号を送信する方法に焦点を当てる。主なプロセスは、以下のステップを含んでもよい。
【００９７】
第１のステップでは、ＩＡＢドナーは、ＩＡＢノードのための発見信号伝送の時間ドメイン構成を提供する。
【００９８】
随意に、ＩＡＢドナーは、ＩＡＢノードに発見信号の周波数場所を提供し、発見信号の周波数ドメイン場所は、ＮＲ−ＡＲＦＣＮによって表され得る、発見信号の中心周波数位置を指す。一実施例では、発見の周波数位置は、０〜３２７９１６５の整数によって表され得、各整数は、ＮＲシステムの絶対周波数位置に対応する。好ましくは、周波数場所は、同期化ラスタ上にない。
【００９９】
ＩＡＢドナーが、ＩＡＢノードのための発見信号の周波数ドメイン場所を提供しないとき、発見信号の周波数ドメイン場所は、初期アクセスのためにＩＡＢノードによって提供されるＳＳＢの搬送波中心周波数または中心周波数場所であってもよい。発見信号伝送の時間ドメイン構成の具体的詳細は、下記に説明される。
【０１００】
図７は、本開示のいくつかの実施形態による、発見信号を伝送するための例示的時間ドメイン構成を図示する。同期化ラスタ７１０上で複数のＩＡＢノードによって送信されるＳＳＢの時間ドメイン位置が同一であり、同期化周期も同一であると仮定されたい。図７に示されるように、２０ミリ秒の同期化周期を伴う２つのＩＡＢノード（ＩＡＢノード１およびＩＡＢノード２）が、挙げられる。同期化ラスタ７１０上の影付きの四角は、両方のＩＡＢノードのＳＳＢを表す。ＩＡＢノード１およびＩＡＢノード２は、常に、同一の時間ドメイン位置でＳＳＢを送信する。加えて、各ＩＡＢノードは、半二重制約に起因して、データを送信するときに同時に他のデータを受信することができない。したがって、２つのＩＡＢノードは、非同期化ラスタ７２０上に示されるような付加的発見信号伝送がないと、相互を見出すことが決してできないであろう。
【０１０１】
図７に示されるように、非同期化ラスタ７２０（またはＩＡＢノードによって構成される任意の周波数位置）上で、発見信号伝送の時間ドメイン構成は、発見信号の伝送窓周期およびオフセットを含む。伝送窓は、発見信号を伝送するためのハーフフレーム時間窓、すなわち、５ミリ秒のハーフフレームを指す。例えば、発見信号の伝送窓周期は、４０ミリ秒であり、０、１、…、７のインデックス番号を伴う伝送窓に対応する、ＨＦ０、ＨＦ１、…、ＨＦ７として記録される、８つの５ミリ秒の伝送窓が４０ミリ秒の伝送窓周期内に存在する。ＩＡＢノード１のためにＩＡＢドナーによって構成される伝送窓は、１のオフセットを有する、すなわち、発見信号は、周期内のＨＦ１において伝送される。ＩＡＢノード２のために構成される伝送窓は、２のオフセットを有する、すなわち、発見信号は、周期内のＨＦ２において伝送される。
【０１０２】
ＩＡＢドナーはさらに、発見信号を伝送する各伝送窓内の時間ドメイン場所についてＩＡＢノードを示し得る。時間ドメイン場所は、ビットマップによって示され、ビットマップの長さは、発見信号が位置する周波数帯によって決定される。例えば、ビットマップの長さは、各周波数帯内のＳＳＢに関して走査されるビームの最大数と同一であり得る。例えば、３ＧＨｚおよび３ＧＨｚを下回る周波数に関して、ビットマップの長さは、４であり、６ＧＨｚまたは３ＧＨｚを上回るが６ＧＨｚを下回る周波数に関して、ビットマップの長さは、８であり、６ＧＨｚを上回る周波数に関して、ビットマップの長さは、６４である。
【０１０３】
図８は、本開示のいくつかの実施形態による、発見信号を伝送するための伝送窓内の例示的時間ドメイン位置を図示する。図８に示されるように、３ＧＨｚを下回る周波数帯を実施例として挙げると、信号の潜在的時間ドメイン位置が、ＳＳＢと同一であり、発見信号が、１ミリ秒に１４個のＯＦＤＭシンボルを伴って１５ｋＨｚの副搬送波間隔を有すると仮定される。伝送窓８００内の発見信号伝送のビームの最大数および同一の副搬送波間隔を有するＳＳＢに関して伝送されるビームの最大数は、同一であり、４に等しい。次いで、４ビットのビットマップが、発見信号が実際に伝送される位置を示すために使用されることができる。ビットマップ内の０および１は、それぞれ、対応する時間ドメイン位置において、発見信号が伝送されないこと、および発見信号が伝送されることを示すと仮定される。例えば、ビットマップ０１１０は、発見信号が、第２および第３のＳＳＢ位置８２０、８３０において伝送され、発見信号が、第１および第４のＳＳＢ位置８１０、８４０において伝送されないことを示す。好ましくは、伝送窓内の発見信号の時間ドメイン場所は、伝送窓周期毎に同一である。
【０１０４】
第２のステップでは、ＩＡＢノードは、ＩＡＢドナーによって提供される構成に従って、対応する周波数ドメインおよび時間ドメイン場所で発見信号を送信する。ＩＡＢノードは、発見信号の新しい時間ドメイン構成が受信されるまで、ＩＡＢドナーによって提供される発見信号の時間ドメイン構成に従って、対応する時間ドメイン位置で発見信号を送信する。次いで、発見信号は、新しい構成に従って送信されるであろう。
【０１０５】
ＩＡＢノードは、以下の例示的方法を使用し、ＩＡＢドナーによって送信される発見信号の時間ドメイン構成に従って発見信号を送信することができる。
【０１０６】
第１の例示的方法では、発見信号は、各伝送窓周期の間に、ＩＡＢドナーによって提供される発見信号伝送のための時間ドメイン構成に従って伝送される。例えば、ＩＡＢドナーが、発見信号が伝送窓周期内の第２の伝送窓（すなわち、ＨＦ１）内で伝送されることを示す場合、発見信号は、各伝送窓周期内の第２の伝送窓内で伝送される。
【０１０７】
第２の例示的方法では、発見信号は、ＩＡＢドナーによって提供される発見信号伝送のための時間ドメイン構成に従って、第１の伝送窓周期内で伝送される。後続の伝送窓周期内で発見信号を伝送するための伝送窓は、前の伝送窓周期内の伝送窓のインデックス、例えば、（インデックス＋１）  ｍｏｄ  （Ｔ／５）によって決定され、インデックスは、前の伝送窓周期の伝送窓に関するインデックスであり、Ｔは、ミリ秒単位の伝送窓周期である。
【０１０８】
第３の例示的方法では、ＩＡＢノードは、そのホップ順／番号、またはＩＡＢノード識別子、もしくはセル識別子に従って、伝送窓周期内の発見信号を伝送するための伝送窓を決定する。例えば、ＩＡＢノードは、例えば、（ホップ順＋１）  ｍｏｄ  （Ｔ／５）に基づいて、ホップ順を使用して伝送窓インデックスを決定し、他のパラメータは、第２の例示的方法のものに類似する。
【０１０９】
第１の伝送窓周期は、ＩＡＢドナーによって提供される発見信号の時間ドメイン構成がＩＡＢノードによって受信された後の第１の伝送窓周期を指す。具体的実装では、ネットワークは、上記に述べられる方法のうちの１つを採用することができ、また、ＩＡＢノード毎に使用される方法を示すこともできる。
【０１１０】
本実施形態では、ＩＡＢドナーが、発見信号を送信する各伝送窓内の時間ドメイン場所をＩＡＢノードに提供しない場合、ＩＡＢノード自体が、各伝送窓内で送信される発見信号の時間ドメイン場所を決定する。伝送窓周期毎に、伝送窓内の発見信号の時間ドメイン場所は、同一である。
【０１１１】
第２の実施形態では、ＩＡＢドナーは、発見信号伝送のための時間ドメイン構成を提供しない、または発見信号伝送のための時間ドメイン構成において伝送窓周期のみを提供する。本実施形態は、分散型様式で発見信号伝送の時間ドメイン構成を構成するための方式であり、ＩＡＢノードが発見信号を送信する方法に焦点を当てる。主なプロセスは、以下のステップを含んでもよい。
【０１１２】
第１のステップでは、ＩＡＢドナーは、ＩＡＢノードに発見信号の周波数場所を提供する。発見信号の周波数ドメイン位置は、ＮＲ−ＡＲＦＣＮによって表されることができる。１つのプロトコルによると、発見信号の周波数ドメイン位置は、０〜３２７９１６５の整数によって表され得、各整数は、ＮＲシステムの絶対周波数位置に対応する。好ましくは、周波数場所は、同期化ラスタ上にない。本ステップは、随意である。ＩＡＢドナーが、ＩＡＢノードのための発見信号の周波数ドメイン場所を提供しないとき、発見信号の周波数ドメイン場所は、初期アクセスのためにＩＡＢノードによって提供されるＳＳＢの搬送波中心周波数または中心周波数場所であってもよい。
【０１１３】
第２のステップでは、ＩＡＢノード自体が、発見信号を伝送するための伝送窓および各伝送窓内で発見信号を伝送するための時間ドメイン場所を決定する。ＩＡＢノードは、以下の例示的方法、すなわち、伝送窓周期内で発見信号を伝送するための伝送窓を無作為に決定する、例えば、伝送窓周期内の発見信号の伝送窓インデックスとして、［０，Ｔ／５−１］の範囲内の整数を無作為に発生させる方法に従って、発見信号を伝送するための伝送窓を決定してもよい。
【０１１４】
各伝送窓内で発見信号を伝送するための具体的時間ドメイン場所は、第１の実施形態に参照されることができる。随意に、ＩＡＢノードは、ＩＡＢドナーが、構成情報を他のＩＡＢノードに送信し、ＩＡＢノードの発見をより効果的に実装し得るように、発見信号の時間ドメイン構成をＩＡＢドナーに提供してもよい。
【０１１５】
第３の実施形態では、ＩＡＢドナーは、発見信号のための監視構成を提供する。本実施形態は、ＩＡＢノードが発見信号を監視する方法に焦点を当てる。主なプロセスは、以下のステップを含んでもよい。
【０１１６】
第１のステップでは、ＩＡＢドナーは、ＩＡＢノードに発見信号のための監視構成を提供する。本ステップは、随意のステップである。監視構成は、発見信号伝送の時間ドメイン構成を提供することのように、段階的様式でＩＡＢノードに提供されることができる。
【０１１７】
発見信号の監視構成は、ＩＡＢノードが発見信号を監視または測定するためのタイミング構成を指示するために使用される。発見信号の監視構成はまた、監視の周波数位置、１つ以上の監視窓構成を含む、発見信号の測定タイミング構成または測定構成とも称され得る。監視の周波数位置は、監視された発見信号の中心周波数位置を指す。各監視構成は、１つ以上のセル、もしくは１つ以上のＩＡＢノードに対応する。
【０１１８】
一実施例では、監視窓構成は、監視窓の周期およびオフセットと、監視窓の持続時間とを含む。監視窓の持続時間は、ミリ秒の粒度にある、すなわち、連続ｎミリ秒にわたる、またはタイムスロットの粒度にある、すなわち、連続ｎ個のタイムスロットにわたり得る。
【０１１９】
別の実施例では、監視窓構成は、監視窓の周期およびオフセットと、監視窓内で監視される発見信号の時間ドメイン位置とを含む。時間ドメイン位置は、ビットマップによって示され、ビットマップの長さは、監視された発見信号が位置する周波数帯範囲によって決定される。ビットマップによって監視の時間ドメイン場所を示すための様式は、上記に議論されるように、ビットマップによって発見信号を伝送するための時間ドメイン場所を示すことに類似する。発見信号の上記に述べられる監視構成において監視するための周波数位置は、随意である。含まれないとき、監視のデフォルト周波数位置は、発見信号の伝送周波数と同一である、または搬送波中心周波数と同一である。
【０１２０】
第２のステップでは、ＩＡＢノードは、他のＩＡＢノードによって送信される発見信号をリッスンする。ＩＡＢノードは、ＩＡＢドナーによって提供される発見信号の監視構成に従って、他のＩＡＢノードによって送信される発見信号をリッスンする。
【０１２１】
半二重限定に起因して、ＩＡＢノードは、同時に送信および受信することができない。監視窓の構成が、ＩＡＢノードのデータ伝送、特に、周期的に伝送されるセルレベル信号または情報と衝突する場合、いくつかの優先順位ルールが、策定されることができる。優先順位ルールに基づいて、ＩＡＢノードは、発見信号をリッスンするか、またはデータを送信するかどうかを決定することができる。代替として、プロトコルにおける限定を伴わずに、ＩＡＢノード自体が、発見信号をリッスンするか、またはデータを送信するかどうかを決定することができる。
【０１２２】
一実施例では、ＩＡＢドナーは、発見信号の監視構成を提供しない。各ＩＡＢノードによって発見信号を監視するためのタイミングは、ＩＡＢノードの重要なデータの伝送タイミングと衝突しない、特に、周期的に伝送されるセルレベル信号または情報と衝突しない限り、ＩＡＢノード自体によって決定されてもよい。
【０１２３】
別の実施例では、ＩＡＢドナーは、発見信号の監視構成を提供しないが、各ＩＡＢノードへの全てのＩＡＢノードによる発見信号の伝送のための時間ドメイン構成を提供する。各ＩＡＢノードによって発見信号を監視するためのタイミングは、全てのＩＡＢノードに関する受信された時間ドメイン構成に基づいて、各ＩＡＢノード自体によって決定されてもよい。
【０１２４】
将来の無線通信は、大きい自由伝搬損失を有する、２８ＧＨｚ、４５ＧＨｚ、７０ＧＨｚ等の第４世代（４Ｇ）通信システムで使用される搬送波周波数よりも高い周波数において実行されるであろう。これは、酸素によって容易に吸収され、高周波数通信システムのカバレッジ性能に重大な影響を及ぼす、降雨減衰による影響を大いに受ける。しかしながら、高周波数通信に対応する搬送波周波数が、より短い波長を有するため、より多くのアンテナ要素が単位面積あたり収容され得ることを確実にすることが可能性として考えられる。より多くのアンテナ要素は、ビーム形成がアンテナ利得を改良するために使用され得、それによって、高周波数通信のカバレッジ性能を確実にすることを意味する。
【０１２５】
ビーム形成を用いると、伝送端が、ある方向に伝送エネルギーを集中させることができる一方で、他の方向には伝送エネルギーが殆どまたは全くない。すなわち、各ビームは、その独自の指向性を有し、ある方向のみに端末またはＵＥをカバーすることができる。伝送端、例えば、ＢＳは、数十またはさらに数百の方向にビームを伝送し、全カバレッジを完成する必要がある。基地局は、各同期化周期内で、同期化ラスタ上の同期化周期の間にビームポーリング様式で複数の同期信号／物理ブロードキャストチャネルブロック（ＳＳＢ）を送信してもよい。ＳＳＢは、プロトコルによって規定されるＳＳＢ・スロット間マッピング様式に従って、ハーフフレーム（５ミリ秒）時間窓内でビームポーリングを完了する。ハーフフレーム内のタイムスロット内のＳＳＢのマッピング位置は、ＳＳＢによって使用される搬送波周波数および副搬送波間隔に基づいて決定される。ＵＥの初期アクセスの間に、同期化周期が２０ミリ秒であると仮定して、ＵＥは、同期化ラスタ上で掃引を実施し、それによって、ダウンリンク同期化および測定を完了し、少なくとも１つの好ましいビームまたはポートを識別する。具体的には、ＳＳＢは、時間ドメイン内の４つの直交周波数分割多重化（ＯＦＤＭ）シンボルから成り、一次同期信号（ＰＳＳ）および二次同期化信号（ＳＳＳ）は、それぞれ、ＳＳＢの第１および第３のＯＦＤＭシンボルを占有する。同期化信号に加えて、ＳＳＢはまた、物理ブロードキャストチャネル（ＰＢＣＨ）と、ＰＢＣＨに対応する復調参照信号とを含む。
【０１２６】
第４の実施形態では、異なるマッピング形式が、発見信号とＳＳＢとの間に提供される。本実施形態は、発見信号の具体的マッピング形式に焦点を当てる。具体的発見信号が、発見信号としてＳＳＢ全体を再利用する、または発見信号として一次同期化信号（ＰＳＳ）および二次同期化信号（ＳＳＳ）を再利用する、もしくは発見信号としてＳＳＳを再利用する、または発見信号を再設計することができる。
【０１２７】
図９は、本開示のいくつかの実施形態による、ＳＳＢ信号と発見信号との間の例示的マッピング形式を図示する。発見信号がＳＳＢのように４つのＯＦＤＭシンボルの単位でマッピングされると仮定して、発見信号のいくつかのマッピング形式が、図９に示される。図９のＳＳの帯域幅（ＢＷ）は、１２個のリソースブロック（ＲＢ）、すなわち、１４４の副搬送波である。ＰＳＳおよびＳＳＳシーケンスの長さは、１２７であり、ＰＳＳおよびＳＳＳが位置するＯＦＤＭシンボルの合計１７の副搬送波（図９の空白ブロックによって表される）上の信号電力は、０である。すなわち、いかなるデータも伝送されない。
【０１２８】
図９に示されるように、マッピング形式１  ９１０では、発見信号は、ＳＳＢと同一である。マッピング形式２  ９２０では、発見信号は、ＳＳＢ内のＰＳＳおよびＳＳＳであり、ＰＳＳおよびＳＳＳの時間ドメイン位置が、ＳＳＢ内のものと同一である一方で、第２および第４のＯＦＤＭシンボルは、他のデータを伝送するために使用されることができる。マッピング形式３  ９３０では、発見信号は、ＳＳＢ内のＰＳＳおよびＳＳＳであり、ＰＳＳ、ＰＳＳ、ＳＳＳ、およびＳＳＳは、４つのＯＦＤＭシンボル上で連続的にマッピングされる。
【０１２９】
図９に示されるように、マッピング形式４  ９４０では、発見信号は、ＳＳＢ内のＰＳＳおよびＳＳＳであり、ＰＳＳ、ＳＳＳ、ＰＳＳ、およびＳＳＳは、４つのＯＦＤＭシンボル上で連続的にマッピングされる。マッピング形式５  ９５０では、発見信号は、ＳＳＢ内のＰＳＳおよびＳＳＳであり、ＰＳＳおよびＳＳＳが、第１および第２のＯＦＤＭシンボル内にある一方で、第３および第４のＯＦＤＭシンボルは、他のデータを伝送するために使用されることができる。マッピング形式６  ９６０では、発見信号は、ＳＳＢ内のＰＳＳおよびＳＳＳであり、ＰＳＳおよびＳＳＳが、第３および第４のＯＦＤＭシンボル内にある一方で、第１および第２のＯＦＤＭシンボルは、他のデータを伝送するために使用されることができる。
【０１３０】
第７のマッピング形式（図９に示されていない）によると、発見信号は、発見信号が４つのＯＦＤＭシンボルのうちのいずれか１つを占有する、シーケンスである。プロトコルは、占有されるＯＦＤＭシンボルを明記することができる。上記のマッピング形式に加えて、他のマッピング形式もまた、使用されてもよい。プロトコルは、上記のマッピング形式のうちのいずれかを規定してもよい。代替として、ネットワーク側は、採用されるマッピング形式を構成することができる。
【０１３１】
上記の実施形態における発見信号の副搬送波間隔は、ネットワーク側によって提供されてもよい、または合意されてもよい。例えば、６ＧＨｚを下回る周波数帯内の発見信号の副搬送波間隔は、３０ｋＨｚであり、６ＧＨｚを上回る周波数帯内の発見信号の副搬送波間隔は、２４０ｋＨｚである。上記の実施形態における伝送窓の周期は、ネットワーク側によって提供されてもよい、または、例えば、１６０ミリ秒で合意されてもよい。本教示における用語「監視する／監視される」は、「測定する／測定される」を意味し得る。
【０１３２】
本教示は、ＵＥの初期アクセスに影響を及ぼすことなく、発見信号が具体的周波数位置において伝送され得る、ＩＡＢノード発見方法を提供する。本教示はまた、発見信号のマッピング形式も提供する。発見信号は、ＳＳＢと異なるマッピング形式を採用することができる。一方では、新しいマッピング形式は、ＳＳＢと比較して、より少ない帯域幅を消費し、リソースを節約する。他方では、マッピング形式３および４は、反復同期化信号を使用し、ＩＡＢノードの発見の性能を改良する。加えて、発見信号は、初期アクセスのＳＳＢの異なる副搬送波間隔を採用し、発見信号の構成をより柔軟にすることができる。より大きい副搬送波間隔の使用は、発見信号に伝送窓内でより短い持続時間を持たせることができ、これは、ＩＡＢノードによって要求される電力消費量を節約する可能性が高い。
【０１３３】
本開示の種々の実施形態が、上記に説明されたが、それらは、限定としてではなく、一例のみとして提示されたことを理解されたい。同様に、種々の略図は、当業者が本開示の例示的特徴および機能を理解することを可能にするように提供される、例示的アーキテクチャまたは構成を描写し得る。しかしながら、そのような当業者は、本開示が図示される例示的アーキテクチャまたは構成に制限されず、種々の代替アーキテクチャおよび構成を使用して実装され得ることを理解するであろう。加えて、当業者によって理解されるであろうように、一実施形態の１つ以上の特徴が、本明細書に説明される別の実施形態の１つ以上の特徴と組み合わせられることができる。したがって、本開示の範疇および範囲は、上記に説明される例示的実施形態のうちのいずれかによって限定されるべきではない。
【０１３４】
また、「第１の」、「第２の」等の指定を使用する本明細書の要素の任意の言及は、概して、それらの要素の数量または順序を限定しないことを理解されたい。むしろ、これらの指定は、２つ以上の要素もしくは要素のインスタンスを区別する便宜的な手段として、本明細書で使用されることができる。したがって、第１および第２の要素の言及は、２つのみの要素が採用され得ること、または第１の要素がある様式で第２の要素に先行しなければならないことを意味しない。
【０１３５】
加えて、当業者は、情報および信号が、種々の異なる技術および技法のうちのいずれかを使用して表され得ることを理解するであろう。例えば、上記の説明で参照され得る、例えば、データ、命令、コマンド、情報、信号、ビット、およびシンボルは、電圧、電流、電磁波、磁場もしくは磁性粒子、光場もしくは粒子、またはそれらの任意の組み合わせによって表されることができる。
【０１３６】
当業者はさらに、本明細書に開示される側面に関連して説明される種々の例証的論理ブロック、モジュール、プロセッサ、手段、回路、方法、および機能のうちのいずれかが、電子ハードウェア（例えば、デジタル実装、アナログ実装、または２つの組み合わせ）、ファームウェア、命令を組み込むプログラムもしくは設計コードの種々の形態（便宜上、本明細書では「ソフトウェア」または「ソフトウェアモジュール」と称され得る）、またはこれらの技法の任意の組み合わせによって実装され得ることを理解するであろう。
【０１３７】
ハードウェア、ファームウェア、およびソフトウェアの本互換性を明確に例証するために、種々の例証的コンポーネント、ブロック、モジュール、回路、およびステップが、概して、それらの機能性の観点から上記に説明された。そのような機能性が、ハードウェア、ファームウェア、またはソフトウェア、もしくはこれらの技法の組み合わせとして実装されるかどうかは、全体的システムに課される特定の用途および設計制約に依存する。当業者は、特定の用途毎に種々の方法で説明される機能性を実装することができるが、そのような実装決定は、本開示の範囲からの逸脱を引き起こさない。種々の実施形態によると、プロセッサ、デバイス、コンポーネント、回路、構造、機械、モジュール等は、本明細書に説明される機能のうちの１つ以上のものを実施するように構成されることができる。規定動作または機能に関して本明細書で使用されるような用語「〜するように構成される」または「〜するために構成される」は、規定動作または機能を実施するように物理的に構築される、プログラムされる、および／または配列される、プロセッサ、デバイス、コンポーネント、回路、構造、機械、モジュール等を指す。
【０１３８】
さらに、当業者は、本明細書に説明される種々の例証的論理ブロック、モジュール、デバイス、コンポーネント、および回路が、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、もしくはそれらの任意の組み合わせを含み得る、集積回路（ＩＣ）内に実装される、またはそれによって実施され得ることを理解するであろう。論理ブロック、モジュール、および回路はさらに、ネットワーク内またはデバイス内の種々のコンポーネントと通信するためのアンテナおよび／または送受信機を含むことができる。汎用プロセッサは、マイクロプロセッサであり得るが、代替では、プロセッサは、任意の従来のプロセッサ、コントローラ、または状態機械であり得る。プロセッサはまた、本明細書に説明される機能を実施するように、コンピューティングデバイスの組み合わせ、例えば、ＤＳＰおよびマイクロプロセッサの組み合わせ、複数のマイクロプロセッサ、ＤＳＰコアと併せた１つ以上のマイクロプロセッサ、もしくは任意の他の好適な構成として実装されることもできる。
【０１３９】
ソフトウェアで実装された場合、機能は、コンピュータ可読媒体上に１つ以上の命令もしくはコードとして記憶されることができる。したがって、本明細書に開示される方法またはアルゴリズムのステップは、コンピュータ可読媒体上に記憶されたソフトウェアとして実装されることができる。コンピュータ可読媒体は、１つの場所から別の場所にコンピュータプログラムまたはコードを転送することを可能にされ得る、任意の媒体を含む、コンピュータ記憶媒体および通信媒体の両方を含む。記憶媒体は、コンピュータによってアクセスされ得る、任意の利用可能な媒体であり得る。限定ではなく、一例として、そのようなコンピュータ可読媒体は、ＲＡＭ、ＲＯＭ、ＥＥＰＲＯＭ、ＣＤ−ＲＯＭ、もしくは他の光ディスク記憶装置、磁気ディスク記憶装置もしくは他の磁気記憶デバイス、または命令もしくはデータ構造の形態で所望のプログラムコードを記憶するために使用され得、コンピュータによってアクセスされ得る、任意の他の媒体を含むことができる。
【０１４０】
本書では、本明細書で使用されるような用語「モジュール」は、本明細書に説明される関連付けられる機能を実施するためのソフトウェア、ファームウェア、ハードウェア、およびこれらの要素の任意の組み合わせを指す。加えて、議論の目的のために、種々のモジュールは、離散モジュールとして説明されるが、しかしながら、当業者に明白となるであろうように、２つ以上のモジュールが、本開示の実施形態による、関連付けられる機能を実施する、単一のモジュールを形成するように組み合わせられてもよい。
【０１４１】
加えて、メモリまたは他の記憶装置、ならびに通信コンポーネントが、本開示の実施形態で採用されてもよい。明確にする目的のために、上記の説明は、異なる機能ユニットおよびプロセッサを参照して本開示の実施形態を説明したことを理解されたい。しかしながら、異なる機能ユニット、処理論理要素、またはドメインの間の機能性の任意の好適な分配が、本開示から逸脱することなく使用され得ることが明白となるであろう。例えば、別個の処理論理要素またはコントローラによって実施されることが例証される機能性が、同一の処理論理要素またはコントローラによって実施されてもよい。故に、具体的機能ユニットの言及は、厳密な論理または物理的構造もしくは編成を示すのではなく、説明される機能性を提供するための好適な手段の言及にすぎない。
【０１４２】
本開示に説明される実装への種々の修正が、当業者に容易に明白となり、本明細書で定義される一般的原理が、本開示の範囲から逸脱することなく、他の実装に適用されることができる。したがって、本開示は、本明細書に示される実装に限定されることを意図していないが、下記の請求項に列挙されるように、本明細書に開示される新規の特徴および原理と一致する最も広い範囲を与えられるものである。
【図１】
2021534647.tif 000003
【図２】
2021534647.tif 000004
【図３】
2021534647.tif 000005
【図４Ａ】
2021534647.tif 000006
【図４Ｂ】
2021534647.tif 000007
【図５】
2021534647.tif 000008
【図６Ａ】
2021534647.tif 000009
【図６Ｂ】
2021534647.tif 000010
【図７】
2021534647.tif 000011
【図８】
2021534647.tif 000012
【図９】
2021534647.tif 000013
【手続補正書】
【提出日】令和3年4月15日(2021.4.15)
【手続補正１】
【補正対象書類名】特許請求の範囲
【補正対象項目名】全文
【補正方法】変更
【補正の内容】
【特許請求の範囲】
【請求項１】
無線通信のための方法であって、前記方法は、
通信ノードから第１の統合アクセスおよびバックホール（ＩＡＢ）通信ノードに、第２のＩＡＢ通信ノードによって発見されるために同期化信号ブロック（ＳＳＢ）を介して発見信号を伝送するように前記第１のＩＡＢ通信ノードによって利用される構成情報を伝送することを含み、
前記構成情報は、前記発見信号を伝送するための、副搬送波間隔と、時間ドメイン構成情報と、周波数ドメイン構成情報とを備え、前記時間ドメイン構成情報は、前記発見信号を伝送するための時間ドメイン位置を示すビットマップを備える、方法。
【請求項２】
無線通信のための方法であって、前記方法は、
通信ノードから第１の統合アクセスおよびバックホール（ＩＡＢ）通信ノードによって、第２のＩＡＢ通信ノードによって発見されるために同期化信号ブロック（ＳＳＢ）を介して発見信号を伝送するための構成情報を受信することであって、前記構成情報は、前記発見信号を伝送するための、副搬送波間隔と、時間ドメイン構成情報と、周波数ドメイン構成情報とを備え、前記時間ドメイン構成情報は、前記発見信号を伝送するための時間ドメイン位置を示すビットマップを備える、ことと、
前記第１のＩＡＢ通信ノードによって、前記構成情報に従って前記発見信号を伝送することと
を含む、方法。
【請求項３】
前記第１のＩＡＢ通信ノードからの前記発見信号および前記第２のＩＡＢ通信ノードからの第２の発見信号は、異なる時間ドメイン位置において伝送される、請求項１または２に記載の方法。
【請求項４】
前記時間ドメイン構成は、
前記発見信号を伝送するための伝送窓周期と、
前記発見信号を伝送するための伝送オフセットと
をさらに備える、請求項１または２に記載の方法。
【請求項５】
プロセッサを備える無線通信装置であって、
前記プロセッサは、第１の統合アクセスおよびバックホール（ＩＡＢ）通信ノードに、第２のＩＡＢ通信ノードによって発見されるために同期化信号ブロック（ＳＳＢ）を介して発見信号を伝送するように前記第１のＩＡＢ通信ノードによって利用される構成情報を伝送するように構成され、
前記構成情報は、前記発見信号を伝送するための、副搬送波間隔と、時間ドメイン構成情報と、周波数ドメイン構成情報とを備え、前記時間ドメイン構成情報は、前記発見信号を伝送するための時間ドメイン位置を示すビットマップを備える、無線通信装置。
【請求項６】
プロセッサを備える無線通信装置であって、
前記プロセッサは、
通信ノードから、前記装置がＩＡＢ通信ノードによって発見されることを可能にするために同期化信号ブロック（ＳＳＢ）を介して発見信号を伝送するための構成情報を受信することであって、前記構成情報は、前記発見信号を伝送するための、副搬送波間隔と、時間ドメイン構成情報と、周波数ドメイン構成情報とを備え、前記時間ドメイン構成情報は、前記発見信号を伝送するための時間ドメイン位置を示すビットマップを備える、ことと、
前記構成情報に従って前記発見信号を伝送することと
を行うように構成されている、無線通信装置。
【請求項７】
第１のＩＡＢ通信ノードからの前記発見信号および第２のＩＡＢ通信ノードからの第２の発見信号は、異なる時間ドメイン位置において伝送される、請求項５または６に記載の無線通信装置。
【請求項８】
前記時間ドメイン構成は、
前記発見信号を伝送するための伝送窓周期と、
前記発見信号を伝送するための伝送オフセットと
をさらに備える、請求項５または６に記載の無線通信装置。
【請求項９】
方法を実行するためのコンピュータ実行可能命令をその上に記憶している、非一過性のコンピュータ可読媒体であって、
前記方法は、通信ノードから第１の統合アクセスおよびバックホール（ＩＡＢ）通信ノードに、第２のＩＡＢ通信ノードによって発見されるために同期化信号ブロック（ＳＳＢ）を介して発見信号を伝送するように前記第１のＩＡＢ通信ノードによって利用される構成情報を伝送することを含み、
前記構成情報は、前記発見信号を伝送するための、副搬送波間隔と、時間ドメイン構成情報と、周波数ドメイン構成情報とを備え、前記時間ドメイン構成情報は、前記発見信号を伝送するための時間ドメイン位置を示すビットマップを備える、非一過性のコンピュータ可読媒体。
【請求項１０】
方法を実行するためのコンピュータ実行可能命令をその上に記憶している、非一過性のコンピュータ可読媒体であって、
前記方法は、
通信ノードから第１の統合アクセスおよびバックホール（ＩＡＢ）通信ノードによって、第２のＩＡＢ通信ノードによって発見されるために同期化信号ブロック（ＳＳＢ）を介して発見信号を伝送するための構成情報を受信することであって、前記構成情報は、前記発見信号を伝送するための、副搬送波間隔と、時間ドメイン構成情報と、周波数ドメイン構成情報とを備え、前記時間ドメイン構成情報は、前記発見信号を伝送するための時間ドメイン位置を示すビットマップを備える、ことと、
前記第１のＩＡＢ通信ノードによって、前記構成情報に従って前記発見信号を伝送することと
を含む、非一過性のコンピュータ可読媒体。
【請求項１１】
前記第１のＩＡＢ通信ノードからの前記発見信号および前記第２のＩＡＢ通信ノードからの第２の発見信号は、異なる時間ドメイン位置において伝送される、請求項９または１０に記載の非一過性のコンピュータ可読媒体。
【請求項１２】
前記時間ドメイン構成は、
前記発見信号を伝送するための伝送窓周期と、
前記発見信号を伝送するための伝送オフセットと
をさらに備える、請求項９または１０に記載の非一過性のコンピュータ可読媒体。
【手続補正２】
【補正対象書類名】明細書
【補正対象項目名】００１３
【補正方法】変更
【補正の内容】
【００１３】
さらに別の実施形態では、ある実施形態において開示される方法を実行するためのコンピュータ実行可能命令をその上に記憶している、非一過性のコンピュータ可読媒体が、開示される。
本願明細書は、例えば、以下の項目も提供する。
（項目１）
第１の無線通信ノードによって実施される方法であって、前記方法は、
少なくとも１つの他の第２の無線通信ノードによって発見されるために発見信号を伝送するように第２の無線通信ノードによって利用される個別の構成情報を複数の第２の無線通信ノードのそれぞれに伝送することであって、前記複数の第２の無線通信ノードのうちの少なくとも２つは、それらの個別の構成情報に基づいて、異なる時間ドメイン位置においてそれらの発見信号を伝送する、こと
を含む、方法。
（項目２）
第２の無線通信ノード毎の個別の構成情報は、以下のうちの少なくとも１つについての情報、すなわち、
前記第２の無線通信ノードによる前記発見信号の伝送のための第１の副搬送波間隔と、
前記発見信号の伝送のための時間ドメイン構成と、
前記発見信号の伝送のための周波数位置と、
前記第２の無線通信ノードが少なくとも１つの他の第２の無線通信ノードによって伝送される少なくとも１つの他の発見信号を監視するための監視構成と
を備える、項目１に記載の方法。
（項目３）
前記時間ドメイン構成は、
前記発見信号の伝送のための伝送窓周期と、
前記発見信号を伝送するための時間窓を指す伝送窓のオフセットであって、前記オフセットは、前記発見信号を伝送する前記伝送窓周期内の伝送窓を示す、伝送窓のオフセットと、
前記発見信号の伝送のための前記伝送窓内の少なくとも１つの時間ドメイン位置であって、前記発見信号の伝送のための前記伝送窓内の候補時間ドメイン位置は、前記発見信号と同一の副搬送波間隔を伴う同期化信号ブロック（ＳＳＢ）の伝送のための前記伝送窓内の候補時間ドメイン位置と同一であり、前記少なくとも１つの時間ドメイン位置は、そのサイズが前記候補時間ドメイン位置の数量に等しく、前記発見信号が位置する周波数帯範囲によって決定されるビットマップによって示される、少なくとも１つの時間ドメイン位置と、
前記第２の無線通信ノードの少なくとも１つのホップ順と、
前記第２の無線通信ノードの少なくとも１つの識別子と、
前記第２の無線通信ノードに関する少なくとも１つのセル識別子と
のうちの少なくとも１つに関連する情報を備える、項目２に記載の方法。
（項目４）
前記発見信号の伝送のための前記周波数位置は、前記発見信号の中心周波数位置を指し、
前記発見信号の伝送のための前記周波数位置は、新規無線絶対無線周波数チャネル番号（ＮＲ−ＡＲＦＣＮ）によって示され、
前記発見信号の伝送のための前記周波数位置のデフォルト値は、前記第２の無線通信ノードの初期アクセスプロセスのための同期化信号ブロック（ＳＳＢ）の搬送波中心周波数または中心周波数である、
項目２に記載の方法。
（項目５）
前記監視構成は、前記少なくとも１つの他の発見信号を監視するための周波数位置、前記少なくとも１つの他の発見信号の第２の副搬送波間隔、および少なくとも１つの監視窓構成のうちの少なくとも１つについての情報を備え、
前記少なくとも１つの他の発見信号を監視するための前記周波数位置は、前記少なくとも１つの他の発見信号の中心周波数位置を指し、
前記少なくとも１つの他の発見信号を監視するための前記周波数位置のデフォルト値は、前記発見信号の伝送のための搬送波中心周波数または中心周波数位置であり、
前記第２の副搬送波間隔のデフォルト値は、前記第２の無線通信ノードの初期アクセスプロセスのための同期化信号ブロック（ＳＳＢ）の副搬送波間隔であり、
前記少なくとも１つの監視窓構成はそれぞれ、少なくとも１つの監視されたセルまたは少なくとも１つの監視された無線通信ノードに対応する、
項目２に記載の方法。
（項目６）
前記少なくとも１つの監視窓構成は、
監視窓周期と、
監視窓のオフセットであって、前記監視窓のオフセットは、前記少なくとも１つの発見信号を監視する前記監視窓周期内の監視窓を示す、監視窓のオフセットと、
前記監視窓の持続時間と、
前記監視窓内で監視される前記少なくとも１つの発見信号の時間ドメイン位置であって、前記少なくとも１つの発見信号の時間ドメイン位置は、そのサイズが、前記少なくとも１つの発見信号が監視される周波数帯範囲によって決定されるビットマップによって示される、時間ドメイン位置と、
前記複数の第２の無線通信ノードによる前記発見信号の伝送のための全ての時間ドメイン構成と、
少なくとも１つの監視されたセルに関する少なくとも１つの識別子と、
少なくとも１つの監視された無線通信ノードに関する少なくとも１つのホップ順と、
前記少なくとも１つの監視された無線通信ノードに関する少なくとも１つの識別子と
のうちの少なくとも１つを備える、項目５に記載の方法。
（項目７）
前記複数の第２の無線通信ノードのうちの少なくとも１つに関して、前記発見信号の伝送のための前記周波数位置は、前記第２の無線通信ノードが動作する搬送波周波数の同期化ラスタ上にない、項目１に記載の方法。
（項目８）
前記複数の第２の無線通信ノードのうちの少なくとも１つに関して、個別の構成情報は、少なくとも１つの第２の無線通信ノードが発見信号を伝送するための少なくとも１つの時間ドメイン構成を備える、項目１に記載の方法。
（項目９）
第１の無線通信ノードによって実施される方法であって、前記方法は、
第２の無線通信ノードから構成情報を受信することと、
前記構成情報に基づいて、他の無線通信ノードによって発見されるために発見信号を伝送することであって、前記第１の無線通信ノードおよび前記他の無線通信ノードのうちの少なくとも１つは、それらの個別の構成情報に基づいて、異なる時間ドメイン位置においてそれらの発見信号を伝送する、ことと
を含む、方法。
（項目１０）
前記構成情報は、以下のうちの少なくとも１つについての情報、すなわち、
前記発見信号の伝送のための第１の副搬送波間隔と、
前記発見信号の伝送のための時間ドメイン構成と、
前記発見信号の伝送のための周波数位置と、
少なくとも１つの他の無線通信ノードによって伝送される少なくとも１つの他の発見信号を監視するための監視構成と
を備える、項目９に記載の方法。
（項目１１）
前記時間ドメイン構成は、
前記発見信号の伝送のための伝送窓周期と、
前記発見信号を伝送するための時間窓を指す伝送窓のオフセットであって、前記オフセットは、前記発見信号を伝送する前記伝送窓周期内の伝送窓を示す、伝送窓のオフセットと、
前記発見信号の伝送のための前記伝送窓内の少なくとも１つの時間ドメイン位置であって、前記発見信号の伝送のための前記伝送窓内の候補時間ドメイン位置は、前記発見信号と同一の副搬送波間隔を伴う同期化信号ブロック（ＳＳＢ）の伝送のための前記伝送窓内の候補時間ドメイン位置と同一であり、前記少なくとも１つの時間ドメイン位置は、そのサイズが前記候補時間ドメイン位置の数量に等しく、前記発見信号が位置する周波数帯範囲によって決定されるビットマップによって示される、少なくとも１つの時間ドメイン位置と、
前記第１の無線通信ノードの少なくとも１つのホップ順と、
前記第１の無線通信ノードの少なくとも１つの識別子と、
前記第１の無線通信ノードに関する少なくとも１つのセル識別子と
のうちの少なくとも１つに関連する情報を備える、項目１０に記載の方法。
（項目１２）
前記発見信号の伝送のための前記周波数位置は、前記発見信号の中心周波数位置を指し、
前記発見信号の伝送のための前記周波数位置は、新規無線絶対無線周波数チャネル番号（ＮＲ−ＡＲＦＣＮ）によって示され、
前記発見信号の伝送のための前記周波数位置のデフォルト値は、前記第１の無線通信ノードの初期アクセスプロセスのための同期化信号ブロック（ＳＳＢ）の搬送波中心周波数または中心周波数である、
項目１０に記載の方法。
（項目１３）
前記監視構成に基づいて、少なくとも１つの他の無線通信ノードによって伝送される少なくとも１つの他の発見信号を監視することをさらに含み、
前記監視構成は、前記少なくとも１つの他の発見信号を監視するための周波数位置、前記少なくとも１つの他の発見信号の第２の副搬送波間隔、および少なくとも１つの監視窓構成のうちの少なくとも１つについての情報を備え、
前記少なくとも１つの他の発見信号を監視するための前記周波数位置は、前記少なくとも１つの他の発見信号の中心周波数位置を指し、
前記少なくとも１つの他の発見信号を監視するための前記周波数位置のデフォルト値は、前記発見信号の伝送のための搬送波中心周波数または中心周波数位置であり、
前記第２の副搬送波間隔のデフォルト値は、前記監視された少なくとも１つの他の無線通信ノードの初期アクセスプロセスのための同期化信号ブロック（ＳＳＢ）の副搬送波間隔であり、
前記少なくとも１つの監視窓構成はそれぞれ、少なくとも１つのセルまたは少なくとも１つの監視された無線通信ノードに対応する、
項目１０に記載の方法。
（項目１４）
前記少なくとも１つの監視窓構成は、
監視窓周期と、
監視窓のオフセットであって、前記監視窓のオフセットは、前記少なくとも１つの発見信号を監視する前記監視窓周期内の監視窓を示す、監視窓のオフセットと、
前記監視窓の持続時間と、
前記監視窓内で監視される前記少なくとも１つの発見信号の時間ドメイン位置であって、前記少なくとも１つの発見信号の時間ドメイン位置は、そのサイズが、前記少なくとも１つの発見信号が監視される周波数帯範囲によって決定されるビットマップによって示される、時間ドメイン位置と、
前記他の無線通信ノードによる発見信号の伝送のための時間ドメイン構成と、
少なくとも１つの監視されたセルに関する少なくとも１つの識別子と、
少なくとも１つの監視された無線通信ノードに関する少なくとも１つのホップ順と、
前記少なくとも１つの監視された無線通信ノードに関する少なくとも１つの識別子と
のうちの少なくとも１つを備える、項目１３に記載の方法。
（項目１５）
前記監視構成と前記第１の無線通信ノードのデータを伝送するための伝送構成との間の衝突に応答して、所定の優先順位ルールに基づいて、前記監視構成に従って前記少なくとも１つの他の発見信号を監視するかどうかを決定することをさらに含む、項目１０に記載の方法。
（項目１６）
前記複数の第２の無線通信ノードのうちの少なくとも１つに関して、前記発見信号の伝送のための前記周波数位置は、前記第１の無線通信ノードが動作する搬送波周波数の同期化ラスタ上にない、項目１０に記載の方法。
（項目１７）
前記構成情報は、前記第１の無線通信ノードの少なくとも１つの子ノードが発見信号を伝送するための少なくとも１つの時間ドメイン構成を備える、項目９に記載の方法。
（項目１８）
第１の無線通信ノードによって実施される方法であって、前記方法は、
構成情報を決定することと、
前記構成情報を第２の無線通信ノードに伝送することと、
前記構成情報に基づいて、他の無線通信ノードによって発見されるために発見信号を伝送することであって、前記第１の無線通信ノードおよび前記他の無線通信ノードのうちの少なくとも１つは、それらの個別の構成情報に基づいて、異なる時間ドメイン位置においてそれらの発見信号を伝送する、ことと
を含む、方法。
（項目１９）
前記構成情報は、以下のうちの少なくとも１つについての情報、すなわち、
前記発見信号の伝送のための第１の副搬送波間隔と、
前記発見信号の伝送のための時間ドメイン構成と、
前記発見信号の伝送のための周波数位置と
を備える、項目１８に記載の方法。
（項目２０）
前記時間ドメイン構成は、
前記発見信号の伝送のための伝送窓周期と、
前記発見信号を伝送するための時間窓を指す伝送窓のオフセットであって、前記オフセットは、前記発見信号を伝送する前記伝送窓周期内の伝送窓を示す、伝送窓のオフセットと、
前記発見信号の伝送のための前記伝送窓内の少なくとも１つの時間ドメイン位置であって、前記発見信号の伝送のための前記伝送窓内の候補時間ドメイン位置は、前記発見信号と同一の副搬送波間隔を伴う同期化信号ブロック（ＳＳＢ）の伝送のための前記伝送窓内の候補時間ドメイン位置と同一であり、前記少なくとも１つの時間ドメイン位置は、そのサイズが前記候補時間ドメイン位置の数量に等しく、前記発見信号が位置する周波数帯範囲によって決定されるビットマップによって示される、少なくとも１つの時間ドメイン位置と、
前記第１の無線通信ノードの少なくとも１つのホップ順と、
前記第１の無線通信ノードの少なくとも１つの識別子と、
前記第１の無線通信ノードに関する少なくとも１つのセル識別子と
のうちの少なくとも１つに関連する情報を備える、項目１９に記載の方法。
（項目２１）
前記構成情報を決定することは、前記発見信号を伝送するための前記伝送窓周期内の１つの伝送窓を無作為に決定することによって、前記伝送窓のオフセットを決定することを含む、項目２０に記載の方法。
（項目２２）
前記第２の無線通信ノードから監視構成を受信することと、
前記監視構成に基づいて、少なくとも１つの他の無線通信ノードによって伝送される少なくとも１つの他の発見信号を監視することと
をさらに含む、項目１８に記載の方法。
（項目２３）
第１の無線通信ノードによって実施される方法であって、前記方法は、
複数の第２の無線通信ノードのそれぞれから、少なくとも１つの他の第２の無線通信ノードによって発見されるために発見信号を伝送するように第２の無線通信ノードによって利用される個別の構成情報を受信することであって、前記複数の第２の無線通信ノードのうちの少なくとも２つは、それらの個別の構成情報に基づいて、異なる時間ドメイン位置においてそれらの発見信号を伝送する、こと
を含む、方法。
（項目２４）
第２の無線通信ノード毎の個別の構成情報は、以下のうちの少なくとも１つについての情報、すなわち、
前記第２の無線通信ノードによる前記発見信号の伝送のための第１の副搬送波間隔と、
前記発見信号の伝送のための時間ドメイン構成と、
前記発見信号の伝送のための周波数位置と
を備える、項目２３に記載の方法。
（項目２５）
前記時間ドメイン構成は、
前記発見信号の伝送のための伝送窓周期と、
前記発見信号を伝送するための時間窓を指す伝送窓のオフセットであって、前記オフセットは、前記発見信号を伝送する前記伝送窓周期内の伝送窓を示す、伝送窓のオフセットと、
前記発見信号の伝送のための前記伝送窓内の少なくとも１つの時間ドメイン位置であって、前記発見信号の伝送のための前記伝送窓内の候補時間ドメイン位置は、前記発見信号と同一の副搬送波間隔を伴う同期化信号ブロック（ＳＳＢ）の伝送のための前記伝送窓内の候補時間ドメイン位置と同一であり、前記少なくとも１つの時間ドメイン位置は、そのサイズが前記候補時間ドメイン位置の数量に等しく、前記発見信号が位置する周波数帯範囲によって決定されるビットマップによって示される、少なくとも１つの時間ドメイン位置と、
前記第２の無線通信ノードの少なくとも１つのホップ順と、
前記第２の無線通信ノードの少なくとも１つの識別子と、
前記第２の無線通信ノードに関する少なくとも１つのセル識別子と
のうちの少なくとも１つに関連する情報を備える、項目２４に記載の方法。
（項目２６）
前記伝送窓のオフセットは、前記発見信号を伝送するための前記伝送窓周期内の１つの伝送窓を無作為に決定することによって、決定される、項目２５に記載の方法。
（項目２７）
前記監視構成に基づいて、少なくとも１つの他の第２の無線通信ノードによって伝送される少なくとも１つの他の発見信号を監視するために前記第２の無線通信ノードによって利用される監視構成を前記複数の第２の無線通信ノードのそれぞれに伝送することをさらに含む、項目２３に記載の方法。
（項目２８）
前記複数の第２の無線通信ノードから受信される前記構成情報に基づいて、前記監視構成を発生させることをさらに含む、項目２７に記載の方法。
（項目２９）
項目１−２８のいずれか１項に記載の方法を実行するように構成される、無線通信ノード。
（項目３０）
項目１−２８のいずれか１項に記載の方法を実行するためのコンピュータ実行可能命令をその上に記憶している、非一過性のコンピュータ可読媒体。
【国際調査報告】
2021534647.tif 000014
2021534647.tif 000015